(57)【要約】  本願の実施例は、電力制御のための方法、端末デバイス及びネットワークデバイスを開示し、該方法は、端末デバイスが第１の帯域幅部分に対応する第１の下り参照信号リソースグループを決定することと、該端末デバイスが該第１の下り参照信号リソースグループにおける下り参照信号リソースに対応する信号に基づいて、伝送される上りデータの送信電力の計算に使用されるパスロス値を決定することとを含み、該第１の下り参照信号リソースグループが少なくとも１つの下り参照信号リソースを含む。本願の実施例に係る方法、端末デバイス及びネットワークデバイスは、システム性能の向上に寄与する。
2021515438.tif 000002
【特許請求の範囲】
【請求項１】
端末デバイスが第１の帯域幅部分に対応する第１の下り参照信号リソースグループを決定することと、
前記端末デバイスが前記第１の下り参照信号リソースグループにおける下り参照信号リソースに対応する信号に基づいて、伝送される上りデータを送信する送信電力の計算に使用されるパスロス値を決定することと含み、
前記第１の下り参照信号リソースグループが少なくとも１つの下り参照信号リソースを含む
ことを特徴とする電力制御のための方法。
【請求項２】
前記端末デバイスが第１の帯域幅部分に対応する第１の下り参照信号リソースグループを決定することは、
前記端末デバイスが帯域幅部分と下り参照信号リソースグループとのマッピング関係に基づいて、前記第１の帯域幅部分に対応する前記第１の下り参照信号リソースグループを決定することを含む
ことを特徴とする請求項１に記載の電力制御のための方法。
【請求項３】
前記マッピング関係がＫ個の下り参照信号リソースグループとＸ個の下り帯域幅部分との対応関係を含み、ＫとＸが１よりも大きい正の整数であり、ＫがＸ以下である
ことを特徴とする請求項２に記載の電力制御のための方法。
【請求項４】
前記マッピング関係がＭ個の下り参照信号リソースグループとＹ個の上り帯域幅部分との対応関係を含み、ＭとＹが１よりも大きい正の整数である
ことを特徴とする請求項２又は３に記載の電力制御のための方法。
【請求項５】
前記方法は、さらに、
前記端末デバイスがネットワークデバイスにより送信された第１の情報を受信することを含み、前記第１の情報が前記第１の帯域幅部分を活性化するように指示し、
前記端末デバイスが帯域幅部分と下り参照信号リソースグループとのマッピング関係に基づいて、前記第１の帯域幅部分に対応する前記第１の下り参照信号リソースグループを決定することは、
前記端末デバイスが前記マッピング関係及び前記第１の帯域幅部分に基づいて、前記第１の帯域幅部分に対応する前記第１の下り参照信号リソースグループを決定することを含む
ことを特徴とする請求項２〜４のいずれか１項に記載の電力制御のための方法。
【請求項６】
前記第１の情報は、上位層シグナリング、メディアアクセス制御ＭＡＣ制御要素ＣＥシグナリング又は下り制御情報ＤＣＩに搬送される
ことを特徴とする請求項５に記載の電力制御のための方法。
【請求項７】
前記方法は、さらに、
前記端末デバイスがネットワークデバイスにより送信された第２の情報を受信することを含み、前記第２の情報が前記マッピング関係を示す
ことを特徴とする請求項２〜６のいずれか１項に記載の電力制御のための方法。
【請求項８】
前記第２の情報は、上位層シグナリング、メディアアクセス制御ＭＡＣ制御要素ＣＥシグナリング又は下り制御情報ＤＣＩに搬送される
ことを特徴とする請求項７に記載の電力制御のための方法。
【請求項９】
端末デバイスが第１の帯域幅部分に対応する第１の下り参照信号リソースグループを決定する前に、前記方法は、さらに、
前記端末デバイスがネットワークデバイスにより送信された第３の情報を受信することを含み、前記第３の情報は、活性化される前記第１の帯域幅部分に対応する前記第１の下り参照信号リソースグループを示し、
前記端末デバイスが第１の帯域幅部分に対応する第１の下り参照信号リソースグループを決定することは、
前記端末デバイスが前記第３の情報に基づいて、前記第１の帯域幅部分に対応する前記第１の下り参照信号リソースグループを決定することを含む
ことを特徴とする請求項１に記載の電力制御のための方法。
【請求項１０】
前記第３の情報は、前記第１の帯域幅部分の活性化を指示するための上位層シグナリング、メディアアクセス制御ＭＡＣ制御要素ＣＥシグナリング又は下り制御情報ＤＣＩに搬送される
ことを特徴とする請求項９に記載の電力制御のための方法。
【請求項１１】
前記下り参照信号リソースは、チャネル状態情報参照信号ＣＳＩ−ＲＳリソース及び／又は同期信号／物理ブロードキャストチャネルブロックを含む
ことを特徴とする請求項１〜１０のいずれか１項に記載の電力制御のための方法。
【請求項１２】
前記方法は、さらに、
前記端末デバイスが前記パスロス値に基づいて、前記伝送される上りデータの送信電力を決定することと、
前記端末デバイスが前記送信電力に基づいて、前記伝送される上りデータを送信することとを含む
ことを特徴とする請求項１〜１１のいずれか１項に記載の電力制御のための方法。
【請求項１３】
ネットワークデバイスが端末デバイスに第１の情報を送信することを含み、
前記第１の情報は、前記端末デバイスが第１の帯域幅部分に対応する第１の下り参照信号リソースグループを決定するために使用され、前記第１の下り参照信号リソースグループにおける下り参照信号リソースに対応する信号は、前記端末デバイスが伝送される上りデータを送信する送信電力を計算する時に使用されるパスロス値を決定するために使用され、前記第１の下り参照信号リソースグループが少なくとも１つの下り参照信号リソースを含む
ことを特徴とする電力制御のための方法。
【請求項１４】
前記第１の情報は、帯域幅部分と下り参照信号リソースグループとのマッピング関係である
ことを特徴とする請求項１３に記載の電力制御のための方法。
【請求項１５】
前記マッピング関係がＫ個の下り参照信号リソースグループとＸ個の下り帯域幅部分との対応関係を含み、ＫとＸが１よりも大きい正の整数であり、ＫがＸ以下である
ことを特徴とする請求項１４に記載の電力制御のための方法。
【請求項１６】
前記マッピング関係がＭ個の下り参照信号リソースグループとＹ個の上り帯域幅部分との対応関係を含み、ＭとＹが１よりも大きい正の整数である
ことを特徴とする請求項１４又は１５に記載の電力制御のための方法。
【請求項１７】
前記方法は、さらに、
前記ネットワークデバイスが前記端末デバイスに第２の情報を送信することを含み、前記第２の情報が前記第１の帯域幅部分を活性化するように指示する
ことを特徴とする請求項１４〜１６のいずれか１項に記載の電力制御のための方法。
【請求項１８】
前記第２の情報は、上位層シグナリング、メディアアクセス制御ＭＡＣ制御要素ＣＥシグナリング又は下り制御情報ＤＣＩに搬送される
ことを特徴とする請求項１７に記載の電力制御のための方法。
【請求項１９】
前記第１の情報は、上位層シグナリング、メディアアクセス制御ＭＡＣ制御要素ＣＥシグナリング又は下り制御情報ＤＣＩに搬送される
ことを特徴とする請求項１３〜１８のいずれか１項に記載の電力制御のための方法。
【請求項２０】
前記第１の情報は、活性化される前記第１の帯域幅部分に対応する前記第１の下り参照信号リソースグループを示す
ことを特徴とする請求項１３に記載の電力制御のための方法。
【請求項２１】
前記第１の情報は、前記第１の帯域幅部分の活性化を指示するための上位層シグナリング、メディアアクセス制御ＭＡＣ制御要素ＣＥシグナリング又は下り制御情報ＤＣＩに搬送される
ことを特徴とする請求項２０に記載の電力制御のための方法。
【請求項２２】
前記下り参照信号リソースは、チャネル状態情報参照信号ＣＳＩ−ＲＳリソース及び／又は同期信号／物理ブロードキャストチャネルブロックを含む
ことを特徴とする請求項１３〜２１のいずれか１項に記載の電力制御のための方法。
【請求項２３】
第１の決定ユニットと、第２の決定ユニットとを備える端末デバイスであって、
前記第１の決定ユニットは、第１の帯域幅部分に対応する第１の下り参照信号リソースグループを決定するように構成され、前記第１の下り参照信号リソースグループが少なくとも１つの下り参照信号リソースを含み、
前記第２の決定ユニットは、前記第１の下り参照信号リソースグループにおける下り参照信号リソースに対応する信号に基づいて、伝送される上りデータを送信する送信電力の計算に使用されるパスロス値を決定するように構成される
ことを特徴とする端末デバイス。
【請求項２４】
前記第１の決定ユニットは、
帯域幅部分と下り参照信号リソースグループとのマッピング関係に基づいて、前記第１の帯域幅部分に対応する前記第１の下り参照信号リソースグループを決定するように構成される
ことを特徴とする請求項２３に記載の端末デバイス。
【請求項２５】
前記マッピング関係がＫ個の下り参照信号リソースグループとＸ個の下り帯域幅部分との対応関係を含み、ＫとＸが１よりも大きい正の整数であり、ＫがＸ以下である
ことを特徴とする請求項２４に記載の端末デバイス。
【請求項２６】
前記マッピング関係がＭ個の下り参照信号リソースグループとＹ個の上り帯域幅部分との対応関係を含み、ＭとＹが１よりも大きい正の整数である
ことを特徴とする請求項２４又は２５に記載の端末デバイス。
【請求項２７】
前記端末デバイスが第１の受信ユニットをさらに含み、
前記第１の受信ユニットは、ネットワークデバイスにより送信された第１の情報を受信するように構成され、前記第１の情報が前記第１の帯域幅部分を活性化するように指示し、
前記第１の決定ユニットが帯域幅部分と下り参照信号リソースグループとのマッピング関係に基づいて、前記第１の帯域幅部分に対応する前記第１の下り参照信号リソースグループを決定することは、
前記マッピング関係及び前記第１の帯域幅部分に基づいて、前記第１の帯域幅部分に対応する前記第１の下り参照信号リソースグループを決定することを含む
ことを特徴とする請求項２４〜２６のいずれか１項に記載の端末デバイス。
【請求項２８】
前記第１の情報は、上位層シグナリング、メディアアクセス制御ＭＡＣ制御要素ＣＥシグナリング又は下り制御情報ＤＣＩに搬送される
ことを特徴とする請求項２７に記載の端末デバイス。
【請求項２９】
前記端末デバイスが第２の受信ユニットをさらに含み、
前記第２の受信ユニットは、ネットワークデバイスにより送信された第２の情報を受信するように構成され、前記第２の情報が前記マッピング関係を示す
ことを特徴とする請求項２４〜２８のいずれか１項に記載の端末デバイス。
【請求項３０】
前記第２の情報は、上位層シグナリング、メディアアクセス制御ＭＡＣ制御要素ＣＥシグナリング又は下り制御情報ＤＣＩに搬送される
ことを特徴とする請求項２９に記載の端末デバイス。
【請求項３１】
端末デバイスが第１の帯域幅部分に対応する第１の下り参照信号リソースグループを決定する前に、前記端末デバイスが第３の受信ユニットをさらに含み、
前記第３の受信ユニットは、ネットワークデバイスにより送信された第３の情報を受信するように構成され、前記第３の情報は、活性化される前記第１の帯域幅部分に対応する前記第１の下り参照信号リソースグループを示し、
前記第１の決定ユニットは、
前記第３の情報に基づいて、前記第１の帯域幅部分に対応する前記第１の下り参照信号リソースグループを決定するように構成される
ことを特徴とする請求項２３に記載の端末デバイス。
【請求項３２】
前記第３の情報は、前記第１の帯域幅部分の活性化を指示するための上位層シグナリング、メディアアクセス制御ＭＡＣ制御要素ＣＥシグナリング又は下り制御情報ＤＣＩに搬送される
ことを特徴とする請求項３１に記載の端末デバイス。
【請求項３３】
前記下り参照信号リソースは、チャネル状態情報参照信号ＣＳＩ−ＲＳリソース及び／又は同期信号／物理ブロードキャストチャネルブロックを含む
ことを特徴とする請求項２３〜３２のいずれか１項に記載の端末デバイス。
【請求項３４】
前記端末デバイスがさらに、第３の決定ユニットと送信ユニットを含み、
前記第３の決定ユニットは、前記パスロス値に基づいて、前記伝送される上りデータの送信電力を決定するように構成され、
前記送信ユニットは、前記送信電力に基づいて、前記伝送される上りデータを送信するように構成される
ことを特徴とする請求項２３〜３３のいずれか１項に記載の端末デバイス。
【請求項３５】
第１の送信ユニットを備えるネットワークデバイスであって、
前記第１の送信ユニットは、ネットワークデバイスが端末デバイスに第１の情報を送信するように構成され、前記第１の情報は、前記端末デバイスが第１の帯域幅部分に対応する第１の下り参照信号リソースグループを決定するために使用され、前記第１の下り参照信号リソースグループにおける下り参照信号リソースに対応する信号は、前記端末デバイスが伝送される上りデータを送信する送信電力を計算する時に使用されるパスロス値を決定するために使用され、前記第１の下り参照信号リソースグループが少なくとも１つの下り参照信号リソースを含む
ことを特徴とするネットワークデバイス。
【請求項３６】
前記第１の情報は、帯域幅部分と下り参照信号リソースグループとのマッピング関係である
ことを特徴とする請求項３５に記載のネットワークデバイス。
【請求項３７】
前記マッピング関係がＫ個の下り参照信号リソースグループとＸ個の下り帯域幅部分との対応関係を含み、ＫとＸが１よりも大きい正の整数であり、ＫがＸ以下である
ことを特徴とする請求項３６に記載のネットワークデバイス。
【請求項３８】
前記マッピング関係がＭ個の下り参照信号リソースグループとＹ個の上り帯域幅部分との対応関係を含み、ＭとＹが１よりも大きい正の整数である
ことを特徴とする請求項３６又は３７に記載のネットワークデバイス。
【請求項３９】
前記ネットワークデバイスが第２の送信ユニットをさらに含み、
前記第２の送信ユニットは、前記端末デバイスに第２の情報を送信するように構成され、前記第２の情報が前記第１の帯域幅部分を活性化するように指示する
ことを特徴とする請求項３５〜３８のいずれか１項に記載のネットワークデバイス。
【請求項４０】
前記第２の情報は、上位層シグナリング、メディアアクセス制御ＭＡＣ制御要素ＣＥシグナリング又は下り制御情報ＤＣＩに搬送される
ことを特徴とする請求項３９に記載のネットワークデバイス。
【請求項４１】
前記第１の情報は、上位層シグナリング、メディアアクセス制御ＭＡＣ制御要素ＣＥシグナリング又は下り制御情報ＤＣＩに搬送される
ことを特徴とする請求項３５〜４０に記載のネットワークデバイス。
【請求項４２】
前記第１の情報は、活性化される前記第１の帯域幅部分に対応する前記第１の下り参照信号リソースグループを示す
ことを特徴とする請求項３５に記載のネットワークデバイス。
【請求項４３】
前記第１の情報は、前記第１の帯域幅部分の活性化を指示するための上位層シグナリング、メディアアクセス制御ＭＡＣ制御要素ＣＥシグナリング又は下り制御情報ＤＣＩに搬送される
ことを特徴とする請求項４２に記載のネットワークデバイス。
【請求項４４】
前記下り参照信号リソースは、チャネル状態情報参照信号ＣＳＩ−ＲＳリソース及び／又は同期信号／物理ブロードキャストチャネルブロックを含む
ことを特徴とする請求項３５〜４３のいずれか１項に記載のネットワークデバイス。
【発明の詳細な説明】
【技術分野】
【０００１】
本願の実施例は、通信分野に関し、具体的に、電力制御のための方法、端末デバイス及びネットワークデバイスに関する。
【背景技術】
【０００２】
従来の新ラジオ( Ｎｅｗ Ｒａｄｉｏ、ＮＲ )設計では、ユーザ機器( Ｕｓｅｒ Ｅｑｕｉｐｍｅｎｔ、ＵＥ )の上り伝送がマルチビームをサポートしない場合、ネットワークは、上り伝送のパスロス推定のためにＵＥに１つの下り参照信号( Ｄｏｗｎｌｉｎｋ Ｒｅｆｅｒｅｎｃｅ Ｓｉｇｎａｌ、ＤＬ ＲＳ )を構成するだけである。しかし、ネットワークデバイスは、ＵＥのために複数の帯域幅部分( ｂａｎｄｗｉｄｔｈ ｐａｒｔ、ＢＷＰ )を構成し、シグナリングを介してＵＥが異なるＢＷＰで動的に伝送するように指示することができ、これにより、端末デバイスは、いずれのＢＷＰに切り替える場合でも、上り伝送のためのパスロス推定として同じＤＬ ＲＳを使用することができ、上り伝送のためのパスロス推定誤差を大きくし、システム性能を低下させる。
【発明の概要】
【０００３】
本願の実施例は、上記に鑑みて、電力制御の精度を向上させ、システムの性能を改善させることができる電力制御のための方法、端末デバイス及びネットワークデバイスを提供する。
【０００４】
第１の態様は、電力制御のための方法を提供し、該方法は、端末デバイスが第１の帯域幅部分に対応する第１の下り参照信号リソースグループを決定することと、該端末デバイスが該第１の下り参照信号リソースグループにおける下り参照信号リソースに対応する信号に基づいて、伝送される上りデータの送信電力の計算に使用されるパスロス値を決定することとを含み、該第１の下り参照信号リソースグループは、少なくとも１つの下り参照信号リソースを含む。
【０００５】
各ＢＷＰで対応する下り参照信号のリソースグループをそれぞれ構成することで、端末デバイスは上り伝送に対するパスロス推定をより良好に行うことができ、電力制御の精度向上に寄与し、システム性能を向上させることができる。
【０００６】
ある実現可能な形態において、該端末デバイスが第１の帯域幅部分に対応する第１の下り参照信号リソースグループを決定することは、該端末デバイスが帯域幅部分と下り参照信号リソースグループとのマッピング関係に基づいて、該第１の帯域幅部分に対応する該第１の下り参照信号リソースグループを決定することを含む。
【０００７】
端末デバイスは、ＢＷＰと下り参照信号リソースグループとのマッピング関係に基づいて、対応するＢＷＰの下り参照信号リソースグループを決定することができ、これにより、端末デバイスは、ＢＷＰを動的に切り替えながら適切な下り参照信号リソースグループを柔軟に使用して上り伝送のパスロス推定を行うことができる。
【０００８】
ある実現可能な形態において、該マッピング関係は、Ｋ個の下り参照信号リソースグループとＸ個の下り帯域幅部分との対応関係を含み、ＫとＸが１よりも大きい正の整数であり、ＫがＸ以下である。
【０００９】
ある実現可能な形態において、該マッピング関係は、Ｍ個の下り参照信号リソースグループとＹ個の上り帯域幅部分との対応関係を含み、ＭとＹが１よりも大きい正の整数である。
【００１０】
ある実現可能な形態において、該方法は、さらに、該端末デバイスがネットワークデバイスにより送信された第１の情報を受信することを含み、該第１の情報は、該第１の帯域幅部分を活性化するように指示し、該端末デバイスが帯域幅部分と下り参照信号リソースグループとのマッピング関係に基づいて、該第１の帯域幅部分に対応する該第１の下り参照信号リソースグループを決定することは、該端末デバイスが該マッピング関係及び該第１の帯域幅部分に基づいて、該第１の帯域幅部分に対応する該第１の下り参照信号リソースグループを決定することを含む。
【００１１】
ある実現可能な形態において、該第１の情報は、上位層シグナリング、メディアアクセス制御ＭＡＣ制御要素ＣＥシグナリング又は下り制御情報ＤＣＩに搬送される。
【００１２】
ある実現可能な形態において、該方法は、さらに、該端末デバイスがネットワークデバイスにより送信された第２の情報を受信することを含み、該第２の情報が該マッピング関係を示す。
【００１３】
ある実現可能な形態において、該第２の情報は、上位層シグナリング、メディアアクセス制御ＭＡＣ制御要素ＣＥシグナリング又は下り制御情報ＤＣＩに搬送される。
【００１４】
ある実現可能な形態において、端末デバイスが第１の帯域幅部分に対応する第１の下り参照信号リソースグループを決定する前に、該方法は、さらに、該端末デバイスがネットワークデバイスにより送信された第３の情報を受信することを含み、該第３の情報は、活性化される該第１の帯域幅部分に対応する該第１の下り参照信号リソースグループを示し、該端末デバイスが第１の帯域幅部分に対応する第１の下り参照信号リソースグループを決定することは、該端末デバイスが該第３の情報に基づいて、該第１の帯域幅部分に対応する該第１の下り参照信号リソースグループを決定することを含む。
【００１５】
ある実現可能な形態において、該第３の情報は、該第１の帯域幅部分の活性化を指示するための上位層シグナリング、メディアアクセス制御ＭＡＣ制御要素ＣＥシグナリング又は下り制御情報ＤＣＩ中に搬送される。
【００１６】
ある実現可能な形態において、該下り参照信号リソースは、チャネル状態指示参照信号ＣＳＩ−ＲＳリソース及び／又は同期信号／ブロードキャストチャンネルブロックを含む。
【００１７】
ある実現可能な形態において、該方法は、さらに、該端末デバイスが該パスロス値に基づいて、該伝送される上りデータの送信電力を決定することと、該端末デバイスが該送信電力に基づいて、該伝送される上りデータを送信することとを含む。
【００１８】
第２の態様は、電力制御のための方法を提供し、該方法は、ネットワークデバイスが端末デバイスに第１の情報を送信することを含み、該第１の情報は、該端末デバイスが第１の帯域幅部分に対応する第１の下り参照信号リソースグループを決定するために使用され、該第１の下り参照信号リソースグループにおける下り参照信号リソースに対応する信号は、該端末デバイスが伝送される上りデータの送信電力を計算する時に使用されるパスロス値を決定するために使用され、該第１の下り参照信号リソースグループが少なくとも１つの下り参照信号リソースを含む。
【００１９】
ある実現可能な形態において、該第１の情報は、帯域幅部分と下り参照信号リソースグループとのマッピング関係である。
【００２０】
ある実現可能な形態において、該マッピング関係は、Ｋ個の下り参照信号リソースグループとＸ個の下り帯域幅部分との対応関係を含み、ＫとＸが１よりも大きい正の整数であり、ＫがＸ以下である。
【００２１】
ある実現可能な形態において、該マッピング関係は、Ｍ個の下り参照信号リソースグループとＹ個の上り帯域幅部分との対応関係を含み、ＭとＹが１よりも大きい正の整数である。
【００２２】
ある実現可能な形態において、該方法は、さらに、該ネットワークデバイスが該端末デバイスに第２の情報を送信することを含み、該第２の情報は、該第１の帯域幅部分を活性化するように指示する。
【００２３】
ある実現可能な形態において、該第２の情報は、上位層シグナリング、メディアアクセス制御ＭＡＣ制御要素ＣＥシグナリング又は下り制御情報ＤＣＩに搬送される。
【００２４】
ある実現可能な形態において、該第１の情報は、上位層シグナリング、メディアアクセス制御ＭＡＣ制御要素ＣＥシグナリング又は下り制御情報ＤＣＩに搬送される。
【００２５】
ある実現可能な形態において、該第１の情報は、活性化される該第１の帯域幅部分に対応する該第１の下り参照信号リソースグループを示す。
【００２６】
ある実現可能な形態において、該第１の情報は、該第１の帯域幅部分の活性化を指示するための上位層シグナリング、メディアアクセス制御ＭＡＣ制御要素ＣＥシグナリング又は下り制御情報ＤＣＩに搬送される。
【００２７】
ある実現可能な形態において、該下り参照信号リソースは、チャネル状態指示参照信号ＣＳＩ−ＲＳリソース及び／又は同期信号／ブロードキャストチャンネルブロックを含む。
【００２８】
第３の態様は、上記の第１の態様または第１の態様の任意の可能な実装における方法を実行するための端末デバイスを提供する。具体的には、端末デバイスは、上記の第１の態様または第１の態様の任意の可能な実装形態における方法を実行するためのユニットを含む。
【００２９】
第４の態様は、上記の第２の態様または第２の態様の任意の可能な実装における方法を実行するためのネットワークデバイスを提供する。具体的には、ネットワークデバイスは、上記の第２の態様または第２の態様の任意の可能な実装形態における方法を実行するためのユニットを含む。
【００３０】
第５の形態は、メモリと、プロセッサと、入力インタフェースと、出力インタフェースとを有する端末デバイスを提供する。メモリ、プロセッサ、入力インタフェース、出力インタフェースは、バスシステムを介して接続される。メモリは、命令を記憶するために使用され、プロセッサは、メモリに記憶された命令を実行して、第１の態様または第１の態様の任意の可能な実装形態において、方法を実行するために使用される。
【００３１】
第６の形態は、メモリと、プロセッサと、入力インタフェースと、出力インタフェースとを有するネットワークデバイスを提供する。メモリ、プロセッサ、入力インタフェース、出力インタフェースは、バスシステムを介して接続される。メモリは、命令を記憶するために使用され、プロセッサは、メモリに記憶された命令を実行して、第２の態様または第２の態様の任意の可能な実装形態において、方法を実行するために使用される。
【００３２】
第７の態様は、上記の第１の態様または第１の態様の任意の可能な実装形態における方法、または上記の第２の態様または第２の態様の任意の可能な実装形態における方法を実行するためのコンピュータソフトウェア命令を記憶するためのコンピュータ記憶媒体を提供し、上記の態様を実行するように設計されたプログラムを含む。
【００３３】
第８の態様は、命令を備えるコンピュータプログラム製品を提供し、コンピュータ上で実行されると、コンピュータに、上記の第１の態様もしくは第１の態様の任意の実装形態における方法、または上記の第２の態様もしくは第２の態様の任意の実装形態における方法を実行させる。
【００３４】
本願において、端末デバイス及びネットワークデバイス等の名称は、機器自体を限定するものではなく、実際の実現においては、これらの機器は別の名称で登場してもよい。各装置の機能が本願と類似する限り、本願の特許請求の範囲及びその均等物の範囲に属する。
【００３５】
本願のこれらの態様または他の態様は、以下の実施例の説明においてより容易に理解されるであろう。
【図面の簡単な説明】
【００３６】
【図１】本願の実施例における応用シーンの模式図である。
【図２】本願の実施例における上り電力のためのブロック図である。
【図３】本願の実施例における上り電力のための他のブロック図である。
【図４】本願の実施例における端末デバイスのブロック図である。
【図５】本願の実施例におけるネットワークデバイスのブロック図である。
【図６】本願の実施例における端末デバイスの他のブロック図である。
【図７】本願の実施例におけるネットワークデバイス他のブロック図である。
【発明を実施するための形態】
【００３７】
以下、本願の実施例における技術的解決策を、本願の実施例における添付図面と併せて、明確かつ完全に説明する。
【００３８】
本願の実施例の技術的解決策は、例えば、全地球移動通信( Ｇｌｏｂａｌ Ｓｙｓｔｅｍ ｏｆ Ｍｏｂｉｌｅ ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューションＬＴＥシステム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉMAX )通信システム、新規無線( Ｎｅｗ Ｒａｄｉｏ、ＮＲ )、又は将来の５Ｇシステム等の様々な通信システムに適用可能であることが理解されるべきである。
【００３９】
特に、本出願の実施例の技術的解決策は、スパースコード多元接続( Ｓｐａｒｓｅ Ｃｏｄｅ Ｍｕｌｔｉｐｌｅ Ａｃｃｅｓｓ、ＳＣＭＡ )システム、低密度シグネチャ( Ｌｏｗ Ｄｅｎｓｉｔｙ Ｓｉｇｎａｔｕｒｅ、ＬＤＳ )システム等の様々な非直交多元接続技術に基づく通信システムに適用され得るが、ＳＣＭＡシステム及びLDＳシステムは、通信分野において別名としても知られてもよい。さらに、本願の実施例の技術的方式は、非直交多元接続技術を採用するマルチキャリア伝送システム、例えば、非直交多元接続技術を採用する直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＯＦＤＭ )、フィルタグループマルチキャリア( Ｆｉｌｔｅｒ Ｂａｎｋ Ｍｕｌｔｉ−Ｃａｒｒｉｅｒ、ＦＢＭＣ )、汎用周波数分割多重( Ｇｅｎｅｒａｌｉｚｅｄ Ｆｒｅｑｕｅｎｃｙ Ｄｉｖｉｓｉｏｎ Ｍｕｌｔｉｐｌｅｘｉｎｇ、ＧＦＤＭ )、フィルタリング直交周波数分割多重( Ｆｉｌｔｅｒｅｄ−ＯＦＤＭ、Ｆ−ＯＦＤＭ )システム等に適用されてもよい。
【００４０】
本願の実施例における端末デバイスは、ユーザ装置( Ｕｓｅｒ Ｅｑｕｉｐｍｅｎｔ、ＵＥ )、アクセス端末、ユーザ装置、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来に発展する公共地上モバイル通信ネットワーク( Ｐｕｂｌｉｃ Ｌａｎｄ Ｍｏｂｉｌｅ Ｎｅｔｗｏｒｋ、ＰＬＭＮ )における端末デバイスなどであり得るが、本開示の実施例は限定されない。
【００４１】
本願の実施例におけるネットワークデバイスは、端末デバイスと通信するための装置であってもよく、該ネットワークデバイスは、ＧＳＭ又はＣＤＭＡにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ ＮｏｄｅＢ、ｅＮＢ又はｅＮｏｄｅＢ )、クラウド無線アクセスネットワーク( Ｃｌｏｕｄ Ｒａｄｉｏ Ａｃｃｅｓｓ Ｎｅｔｗｏｒｋ、ＣＲＡＮ )シナリオにおける無線コントローラであってもよく、又は該ネットワークデバイスは、中継局、アクセスポイント、車載装置、ウェアラブル装置、及び将来の５Ｇネットワークにおけるネットワークデバイス、又は将来の発展型ＰＬＭＮネットワークにおけるネットワークデバイス等であってもよく、本願の実施例は限定されない。
【００４２】
図１は、本願の実施例に係る応用シーンの概略図である。図１の通信システムは、端末デバイス１０とネットワークデバイス２０とを含みうる。ネットワークデバイス２０は、端末デバイス１０に通信サービスを提供し、コアネットワークにアクセスするためのものであり、端末デバイス１０は、ネットワークデバイス２０から送信された同期信号やブロードキャスト信号等を検索することによりネットワークにアクセスし、ネットワークとの通信を行う。図１に示される矢印は、端末デバイス１０とネットワークデバイス２０との間のセルラーリンクを介した上り/下りの伝送を表すことができる。
【００４３】
現在のＮＲ設計では、ＵＥの上り伝送が異なるビームをサポートするとき、ネットワークは、ＵＥに異なるビームに対応するＤＬ ＲＳを構成して、端末デバイスが異なるビームを利用して上り伝送するときに、それぞれのＤＬ ＲＳに従ってパスロス推定を行うことができる。ＵＥの上り伝送がマルチビームをサポートしない場合、ネットワークは、ＵＥのために１つのＤＬ ＲＳだけを構成する。
【００４４】
ＮＲでは、ネットワークは、ＵＥのための複数の下り帯域幅部分( Ｄｏｗｎｌｉｎｋ ｂａｎｄｗｉｄｔｈ ｐａｒｔ、ＤＬ ＢＷＰ )または上り帯域幅部分( Ｕｐｌｉｎｋ ｂａｎｄｗｉｄｔｈ ｐａｒｔ、ＵＬ ＢＷＰ )を構成することができ、ネットワークは、下り制御情報( Ｄｏｗｎｌｉｎｋ Ｃｏｎｔｒｏｌ Ｉｎｆｏｒｍａｔｉｏｎ、ＤＣＩ )またはメディアアクセス制御( Ｍｅｄｉａ Ａｃｃｅｓｓ Ｃｏｎｔｒｏｌ、ＭＡＣ )制御要素( Ｃｏｎｔｒｏｌ Ｅｌｅｍｅｎｔ、ＣＥ )などによって、異なるＢＷＰ上での相対的動的な伝送を示すことができる。ＢＷＰを切り替えた後も、同じＤＬ ＲＳを用いて上り伝送のパスロス推定を行うと、誤差が大きくなり、算出される送信電力が不十分となるおそれがある。このため、端末デバイスがＢＷＰを切り替えた後に、より適切なＤＬ ＲＳを利用してパスロス推定を行う方法が必要がある。
【００４５】
図２は本願の実施例における電力制御のための方法１００のブロック図である。図２に示すように、該方法１００は、以下の少なくともの一部を含む。
【００４６】
Ｓ１１０において、端末デバイスが第１の帯域幅部分に対応する第１の下り参照信号リソースグループを決定し、該第１の下り参照信号リソースグループが少なくとも１つの下り参照信号リソースを含み、
Ｓ１２０において、該端末デバイスが該第１の下り参照信号リソースグループにおける下り参照信号リソースに対応する信号に基づいて、伝送される上りデータの送信電力の計算に使用されるパスロス値を決定する。
【００４７】
具体的には、ネットワークデバイスは、端末デバイスのためにＫ個のＤＬ ＲＳリソースグループを構成することができ、ここで、各ＤＬ ＲＳリソースグループは、少なくとも１つのＤＬ ＲＳを含むことができる。各ＤＬ ＲＳが含むＤＬ ＲＳの数は、端末デバイスによってサポートされるビームの数と同じであってもよい。例えば、端末デバイスがマルチビームをサポートしない場合、各ＤＬ ＲＳリソースグループは、１つのＤＬ ＲＳリソースを含み、端末デバイスがＮ個のビームをサポートし、Ｎは１より大きい正の整数である場合、ＤＬ ＲＳリソースグループの各々は、Ｎ個のＤＬ ＲＳリソースを含む。ネットワークデバイスは、端末デバイスのために構成されたＤＬ ＢＷＰまたはＵＬ ＢＷＰを、Ｋ個のＤＬ ＲＳリソースグループの一部または全部に関連付けることができる。これにより、端末デバイスは、該当するＢＷＰに対応するＤＬ ＲＳリソースグループを取得し、さらに、特定されたＤＬ ＲＳリソースグループ中のＤＬ ＲＳリソースに対応する信号を用いて、上り伝送のパスロス値を特定することができる。
【００４８】
したがって、本願の実施例の電力制御のための方法は、電力制御の精度を向上させるのに有利であり、システム性能を向上させることができる。
【００４９】
任意選択で、本願の実施例において、該端末デバイスが第１の帯域幅部分に対応する第１の下り参照信号リソースグループを決定することは、該端末デバイスが帯域幅部分と下り参照信号リソースグループとのマッピング関係に基づいて、該第１の帯域幅部分に対応する該第１の下り参照信号リソースグループを決定することを含む。
【００５０】
端末デバイスは、予めＢＷＰとＤＬ ＲＳリソースグループとのマッピング関係を記憶しており、具体的には、該マッピング関係は、ネットワークデバイスで構成されていてもよいし、プロトコルで合意されていてもよい。端末デバイスがする時にその内部の記憶モジュールに該マッピング関係が記憶される。端末デバイスがあるＢＷＰに切り替える場合、端末デバイスは、切り替えるＢＷＰに対応するＤＬ ＲＳリソースグループをマッピング関係から検索し、端末デバイスは、決定されたＤＬ ＲＳリソースグループの中のＤＬ ＲＳリソースに対応する信号に基づいて、上り伝送のパスロス推定を行うことができる。
【００５１】
端末デバイスは、ＢＷＰと下り参照信号リソースグループとのマッピング関係に基づいて、ＢＷＰ上の下り参照信号リソースグループを決定することができ、これにより、端末デバイスは、ＢＷＰを動的に切り替えながら適切な下り参照信号リソースグループを柔軟に使用して上り伝送のパスロス推定を行うことができる。
【００５２】
なお、このマッピング関係は、ＤＬ ＢＷＰとＤＬ ＲＳリソースグループとの間の対応関係であってもよく、マッピング関係は、ＵＬ ＢＷＰとＤＬ ＲＳリソースグループとの間の対応関係であってもよく、マッピング関係は、ＤＬ ＢＷＰ、ＵＬ ＢＷＰ、及びＤＬ ＲＳの三者間のマッピング関係であってもよく、本願実施例は、ＢＷＰのタイプを限定しない。
【００５３】
また、ネットワークデバイスが端末デバイスに構成するＤＬ ＲＳリソースグループの数は、端末デバイスに構成するＤＬ ＢＷＰの数よりも多くはならないことを理解されたい。しかし、ネットワークデバイスが端末デバイスに構成するＤＬ ＲＳのリソースグループの数は、端末デバイスに構成するＵＬ ＢＷＰの数により限定されない。
【００５４】
任意選択で、本願の実施例において、該方法は、さらに、該端末デバイスがネットワークデバイスにより送信された第１の情報を受信することを含み、該第１の情報は、該第１の帯域幅部分を活性化するように指示し、該端末デバイスが帯域幅部分と下り参照信号リソースグループとのマッピング関係に基づいて、該第１の帯域幅部分に対応する該第１の下り参照信号リソースグループを決定することは、該端末デバイスが該マッピング関係及び該第１の帯域幅部分に基づいて、該第１の帯域幅部分に対応する該第１の下り参照信号リソースグループを決定することを含む。
【００５５】
具体的には、ネットワークデバイスは、あるＢＷＰを活性化することを、上位層シグナリング、ＭＡＣ ＣＥシグナリング、またはＤＣＩシグナリングによって端末デバイスに指示してもよく、ＤＬ ＢＷＰであってもよく、ＵＬ ＢＷＰであってもよく、該上位層シグナリングは、例えば、無線リソース制御( Ｒａｄｉｏ Ｒｅｓｏｕｒｃｅ Ｃｏｎｔｒｏｌ、ＲＲＣ )シグナリングであってもよい。
【００５６】
任意選択で、マッピング関係がネットワークデバイスによって端末デバイスに構成される場合、ネットワークデバイスは、同様に、上位層シグナリング、ＭＡＣ ＣＥシグナリング、またはＤＣＩシグナリングによって端末デバイスに示され得る。
【００５７】
任意選択で、端末デバイスが第１の帯域幅部分に対応する第１の下り参照信号リソースグループを決定する前に、該方法は、さらに、該端末デバイスがネットワークデバイスにより送信された第３の情報を受信することを含み、該第３の情報は、活性化される該第１の帯域幅部分に対応する該第１の下り参照信号リソースグループを示し、該端末デバイスが第１の帯域幅部分に対応する第１の下り参照信号リソースグループを決定することは、該端末デバイスが該第３の情報に基づいて、該第１の帯域幅部分に対応する該第１の下り参照信号リソースグループを決定することを含む。
【００５８】
つまり、ネットワークデバイスは、端末デバイスにＢＷＰとＤＬ ＲＳリソースグループとのマッピング関係を前もって構成するのではなく、ネットワークデバイスが端末デバイスにＢＷＰの切り替えを指示したときに、そのＢＷＰに対応するＤＬ ＲＳリソースグループを端末デバイスに構成するようにしてもよい。例えば、ネットワークデバイスがＢＷＰ１の活性化を指示すると、ネットワークデバイスは、そのＢＷＰ１を参照し、端末デバイスにそのＢＷＰ１に適合するＤＬ ＲＳリソースグループを構成して端末デバイスに指示することができ、さらに、端末デバイスは、指示されたＤＬ ＲＳリソースグループにおけるＤＬ ＲＳリソースに対応する信号に基づいて、上り伝送のパスロス推定を行うことができる。
【００５９】
さらに、ネットワークデバイスは、あるＢＷＰを活性化しながら、そのＢＷＰに対応するＤＬ ＲＳリソースグループを指示することができる。例えば、ネットワークデバイスは、同じ上位層シグナリング、同じＭＡＣ ＣＥシグナリング、またはＤＣＩシグナリングを介して、あるＢＷＰを活性化することを、及び、そのＢＷＰに対応するＤＬ ＲＳリソースグループを端末デバイスに示し得る。ネットワークデバイスは、あるＢＷＰの活性化と、そのＢＷＰに対応するＤＬ ＲＳリソースグループを端末デバイスに指示することを別々に指示してもよく、本願実施例はこれに限定されない。
【００６０】
なお、ネットワークデバイスがＢＷＰに対応するＤＬ ＲＳリソースグループを示す前に、端末デバイスは、以前のＤＬ ＲＳリソースグループを用いて、パスロス推定を行う必要がある。
【００６１】
また、本願の実施例におけるＤＬ ＲＳは、チャネル状態情報参照信号( Ｃｈａｎｎｅｌ Ｓｔａｔｅ Ｉｎｆｏｒｍａｔｉｏｎ−Ｒｅｆｅｒｅｎｃｅ Ｓｉｇｎａｌｓ、ＣＳＩ−ＲＳ )及び/又は同期信号( Ｓｙｎｃｈｒｏｎｏｕｓ Ｓｉｇｎａｌ ) /物理ブロードキャストチャネル( Ｂｒｏａｄｃａｓｔ Ｃｈａｎｎｅｌ、ＰＢＣＨ )ブロック( ＳＳ / ＰＢＣＨ Ｂｌｏｃｋ )を含むことができる。
【００６２】
さらに、端末デバイスがパスロス値を決定した後、該方法は、さらに、該端末デバイスが該パスロス値に基づいて、該伝送される上りデータの送信電力を決定することと、該端末デバイスが該送信電力に基づいて、該伝送される上りデータを送信することとを含む。
【００６３】
なお、本明細書における第１の情報、第２の情報、および第３の情報は、任意の組合せで同じシグナリングに搬送されてもよく、本願の実施例は、これに限定されない
図３は本願の実施例における電力制御のための方法２００のブロック図である。図３に示すように、該方法２００は、以下のステップを含む。
【００６４】
Ｓ２１０において、ネットワークデバイスが端末デバイスに第１の情報を送信し、該第１の情報は、該端末デバイスが第１の帯域幅部分に対応する第１の下り参照信号リソースグループを決定するために使用され、該第１の下り参照信号リソースグループにおける下り参照信号リソースに対応する信号は、該端末デバイスが伝送される上りデータの送信電力を計算する時に使用されるパスロス値を決定するために使用され、該第１の下り参照信号リソースグループが少なくとも１つの下り参照信号リソースを含む。
【００６５】
したがって、本願の実施例の電力制御のための方法は、電力制御の精度を向上させるのに有利であり、システム性能を向上させることができる。
【００６６】
任意選択で、本願の実施例において、該第１の情報は、帯域幅部分と下り参照信号リソースグループとのマッピング関係である。
【００６７】
任意選択で、本願の実施例において、該マッピング関係は、Ｋ個の下り参照信号リソースグループとＸ個の下り帯域幅部分との対応関係を含み、ＫとＸが１よりも大きい正の整数であり、ＫがＸ以下である。
【００６８】
任意選択で、本願の実施例において、該マッピング関係は、Ｍ個の下り参照信号リソースグループとＹ個の上り帯域幅部分との対応関係を含み、ＭとＹが１よりも大きい正の整数である。
【００６９】
任意選択で、本願の実施例において、該方法は、さらに、該ネットワークデバイスが該端末デバイスに第２の情報を送信することを含み、該第２の情報は、該第１の帯域幅部分を活性化するように指示する。
【００７０】
任意選択で、本願の実施例において、該第２の情報は、上位層シグナリング、メディアアクセス制御ＭＡＣ制御要素ＣＥシグナリング又は下り制御情報ＤＣＩに搬送される。
【００７１】
任意選択で、本願の実施例において、該第１の情報は、上位層シグナリング、メディアアクセス制御ＭＡＣ制御要素ＣＥシグナリング又は下り制御情報ＤＣＩに搬送される。
【００７２】
任意選択で、本願の実施例において、該第１の情報は、活性化される該第１の帯域幅部分に対応する該第１の下り参照信号リソースグループを示す。
【００７３】
任意選択で、本願の実施例において、該第１の情報は、該第１の帯域幅部分の活性化を指示するための上位層シグナリング、メディアアクセス制御ＭＡＣ制御要素ＣＥシグナリング又は下り制御情報ＤＣＩに搬送される。
【００７４】
任意選択で、本願の実施例において、該下り参照信号リソースは、チャネル状態指示参照信号ＣＳＩ−ＲＳリソース及び／又は同期信号／ブロードキャストチャンネルブロックを含む。
【００７５】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００７６】
ネットワークデバイスによって記述されるネットワークデバイスと端末デバイスとの間の相互作用及び関連する特性、機能などは、端末デバイスの関連する特性、機能に対応することが理解される。なお、関連する内容は、上記方法１００において詳細に説明されているので、簡潔のために、ここでは説明しない。
【００７７】
また、本願の様々な実施例において、上述のプロセスの順序の大きさは、実行順序の前後を意味するものではなく、各プロセスの実行順序は、その機能及び内部ロジックにおいて決定されるべきであり、本願の実施例のプロセスを何ら限定するものではないことを理解されたい。
【００７８】
以上、本願の実施例に係る電力制御方法について詳細に説明したが、以下、図４〜図７を参照しながら、本願の実施例に係る電力制御装置について説明する。
【００７９】
図４は本願の実施例における端末デバイス３００のブロック図を示す。図４に示すように、該端末デバイス３００は、第１の決定ユニット３１０及び第２の決定ユニット３２０を含み
第１の決定ユニット３１０は、第１の帯域幅部分に対応する第１の下り参照信号リソースグループを決定するように構成され、該第１の下り参照信号リソースグループが少なくとも１つの下り参照信号リソースを含み、
第２の決定ユニット３２０は、該第１の下り参照信号リソースグループにおける下り参照信号リソースに対応するに基づいて、伝送される上りデータの送信電力の計算に使用されるパスロス値を決定するように構成される。
【００８０】
したがって、本願の実施例に係る端末デバイスは、電力制御の精度を向上させるのに有利となり、システム性能を向上させることができる。
【００８１】
任意選択で、本願の実施例において、該第１の決定ユニットは、具体的に、帯域幅部分と下り参照信号リソースグループとのマッピング関係に基づいて、該第１の帯域幅部分に対応する該第１の下り参照信号リソースグループを決定するように構成される。
【００８２】
任意選択で、本願の実施例において、該マッピング関係は、Ｋ個の下り参照信号リソースグループとＸ個の下り帯域幅部分との対応関係を含み、ＫとＸが１よりも大きい正の整数であり、ＫがＸ以下である。
【００８３】
任意選択で、本願の実施例において、該マッピング関係は、Ｍ個の下り参照信号リソースグループとＹ個の上り帯域幅部分との対応関係を含み、ＭとＹが１よりも大きい正の整数である。
【００８４】
任意選択で、本願の実施例において、該端末デバイスが第１の受信ユニットをさらに含み、第１の受信ユニットは、ネットワークデバイスにより送信された第１の情報を受信するように構成され、該第１の情報は、該第１の帯域幅部分を活性化するように指示し、該第１の決定ユニットが帯域幅部分と下り参照信号リソースグループとのマッピング関係に基づいて第１の帯域幅部分に対応する該第１の下り参照信号リソースグループを決定することは、具体的に、該マッピング関係及び該第１の帯域幅部分に基づいて、該第１の帯域幅部分に対応する該第１の下り参照信号リソースグループを決定することを含む。
【００８５】
任意選択で、本願の実施例において、該第１の情報は、上位層シグナリング、メディアアクセス制御ＭＡＣ制御要素ＣＥシグナリング又は下り制御情報ＤＣＩに搬送される。
【００８６】
任意選択で、本願の実施例において、該端末デバイスが第２の受信ユニットをさらに含み、第２の受信ユニットは、ネットワークデバイスにより送信された第２の情報を受信するように構成され、該第２の情報が該マッピング関係を示す。
【００８７】
任意選択で、本願の実施例において、該第２の情報は、上位層シグナリング、メディアアクセス制御ＭＡＣ制御要素ＣＥシグナリング又は下り制御情報ＤＣＩに搬送される。
【００８８】
任意選択で、本願の実施例において、端末デバイスが第１の帯域幅部分に対応する第１の下り参照信号リソースグループを決定する前に、該端末デバイスがさらに第３の受信ユニットを含み、第３の受信ユニットは、ネットワークデバイスにより送信された第３の情報を受信するように構成され、該第３の情報は、活性化される該第１の帯域幅部分に対応する該第１の下り参照信号リソースグループを示し、該第１の決定ユニットは、具体的に、該第３の情報に基づいて、該第１の帯域幅部分に対応する該第１の下り参照信号リソースグループを決定するように構成される。
【００８９】
任意選択で、本願の実施例において、該第３の情報は、該第１の帯域幅部分の活性化を指示するための上位層シグナリング、メディアアクセス制御ＭＡＣ制御要素ＣＥシグナリング又は下り制御情報ＤＣＩ中に搬送される。
【００９０】
任意選択で、本願の実施例において、該下り参照信号リソースは、チャネル状態指示参照信号ＣＳＩ−ＲＳリソース及び／又は同期信号／ブロードキャストブロードキャストを含む。
【００９１】
任意選択で、本願の実施例において、該端末デバイスが第３の決定ユニットをさらに含み、第３の決定ユニットは、該パスロス値に基づいて該伝送される上りデータの送信電力を決定するように構成され、送信ユニットは、該送信電力に基づいて該伝送される上りデータを送信するように構成される。
【００９２】
なお、本願の実施例による端末デバイス３００は、本願の実施例による端末デバイスに対応することができ、端末デバイス３００の各部の上述した及び他の動作及び/又は機能は、図２の方法による端末デバイスの対応するフローをそれぞれ実現するために、簡潔のために、ここでは説明を省略する。
【００９３】
図５は本願の実施例におけるネットワークデバイス４００のブロック図である。図５に示すように、該ネットワークデバイス４００は、第１の送信ユニット４１０を含み、
第１の送信ユニット４１０は、ネットワークデバイスが端末デバイスに第１の情報を送信するように構成され、該第１の情報は、該端末デバイスが第１の帯域幅部分に対応する第１の下り参照信号リソースグループを決定するために使用され、該第１の下り参照信号リソースグループにおける下り参照信号リソースに対応する信号は、該端末デバイスが伝送される上りデータの送信電力を計算する時に使用されるパスロス値を決定するために使用され、該第１の下り参照信号リソースグループが少なくとも１つの下り参照信号リソースを含む。
【００９４】
したがって、本願の実施例のネットワークデバイスは、電力制御の精度を向上させるのに有利であり、システム性能を向上させることができる。
【００９５】
任意選択で、本願の実施例において、該第１の情報は、帯域幅部分と下り参照信号リソースグループとのマッピング関係である。
【００９６】
任意選択で、本願の実施例において、該マッピング関係は、Ｋ個の下り参照信号リソースグループとＸ個の下り帯域幅部分との対応関係を含み、ＫとＸが１よりも大きい正の整数であり、ＫがＸ以下である。
【００９７】
任意選択で、本願の実施例において、該マッピング関係は、Ｍ個の下り参照信号リソースグループとＹ個の上り帯域幅部分との対応関係を含み、ＭとＹが１よりも大きい正の整数である。
【００９８】
任意選択で、本願の実施例において、該ネットワークデバイスが第２の送信ユニットをさらに含み、第２の送信ユニットは、該端末デバイスに第２の情報を送信するように構成され、該第２の情報は、該第１の帯域幅部分を活性化するように指示する。
【００９９】
任意選択で、本願の実施例において、該第２の情報は、上位層シグナリング、メディアアクセス制御ＭＡＣ制御要素ＣＥシグナリング又は下り制御情報ＤＣＩに搬送される。
【０１００】
任意選択で、本願の実施例において、該第１の情報は、上位層シグナリング、メディアアクセス制御ＭＡＣ制御要素ＣＥシグナリング又は下り制御情報ＤＣＩに搬送される。
【０１０１】
任意選択で、本願の実施例において、該第１の情報は、活性化される該第１の帯域幅部分に対応する該第１の下り参照信号リソースグループを示す。
【０１０２】
任意選択で、本願の実施例において、該第１の情報は、該第１の帯域幅部分の活性化を指示するための上位層シグナリング、メディアアクセス制御ＭＡＣ制御要素ＣＥシグナリング又は下り制御情報ＤＣＩに搬送される。
【０１０３】
任意選択で、本願の実施例において、該下り参照信号リソースは、チャネル状態指示参照信号ＣＳＩ−ＲＳリソース及び／又は同期信号／チャンネルブロックチャンネルブロックを含む。
【０１０４】
なお、本願の実施例によるネットワークデバイス４００は、本願の方法の実施例によるネットワークデバイスに対応することができ、ネットワークデバイス４００の各部の上記及び他の動作及び/又は機能は、それぞれ、図３の方法におけるネットワークデバイスの対応するフローを実施するために、簡潔のために、ここでは説明を省略する。
【０１０５】
図６に示されるように、本願の実施例は、端末デバイス５００をさらに提供し、この端末デバイス５００が図４の端末デバイス３００であってもよく、図２の方法１００に対応する端末デバイスのコンテンツを実行するために使用される。この端末デバイス５００は、入力インターフェース５１０、出力インターフェース５２０、プロセッサ５３０、及びメモリ５４０を備え、これらはバスシステムにより接続可能となっている。メモリ５４０は、プログラム、命令、又はコードを含むデータを記憶するために使用される。プロセッサ５３０は、メモリ５４０内のプログラム、命令、またはコードを実行して、入力インターフェース５１０を制御して信号を受信し、出力インターフェース５２０を制御して信号を送信し、前述の方法の実施例の動作を完了する。
【０１０６】
したがって、本願の実施例に係る端末デバイスは、電力制御の精度を向上させるのに有利となり、システム性能を向上させることができる。 
本願の実施例において、プロセッサ５３０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、フィールドプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタ論理デバイス、ディスクリートハードウェアコンポーネント等であってもよいことが理解されるべきである。汎用プロセッサはマイクロプロセッサであってもよく、プロセッサは任意の従来のプロセッサなどであってもよい。
【０１０７】
メモリ５４０は、読み出し専用メモリおよびランダムアクセスメモリを含むことができ、プロセッサ５３０に命令およびデータを提供する。メモリ５４０の一部は、不揮発性ランダムアクセスメモリも含み得る。例えば、メモリ５４０は、デバイスタイプの情報をさらに記憶することができる。
【０１０８】
実施において、方法の各コンテンツは、プロセッサ５３０におけるハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ５４０に位置し、プロセッサ５３０は、メモリ５４０内の情報を読み出し、そのハードウェアとともに、上述した方法の内容を実現する。重複を避けるため、ここでは詳細な説明は省略する。
【０１０９】
具体的な実施例において、端末デバイス３００の第１の決定ユニット、第２の決定ユニット及び第３の決定ユニットは、図６のプロセッサ５３０によって具現され、端末デバイス３００の送信ユニットは、図６の出力インターフェイス５２０によって具現され、端末デバイス３００の第１の受信ユニット、第２の受信ユニット及び第３の受信ユニットは、図６の入力インターフェイス５１０によって具現される。
【０１１０】
図７に示すように、本願の実施例は、ネットワークデバイス６００をさらに提供し、このネットワークデバイス６００が図５のネットワークデバイス４００であってもよく、図３の方法２００に対応するネットワークデバイスのコンテンツを実行するために使用される。このネットワークデバイス６００は、入力インターフェース６１０、出力インターフェース６２０、プロセッサ６３０、及びメモリ６４０を備え、これらはバスシステムにより接続可能となっている。メモリ６４０は、プログラム、命令、又はコードを含むデータを記憶するために使用される。プロセッサ６３０は、メモリ６４０内のプログラム、命令、またはコードを実行して、入力インターフェース６１０を制御して信号を受信し、出力インターフェース６２０を制御して信号を送信し、前述の方法の実施例の動作を完了する。
【０１１１】
したがって、本願実施例のネットワークデバイスは、電力制御の精度を向上させるのに有利であり、システム性能を向上させることができる。
【０１１２】
本願の実施例において、プロセッサ６３０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、フィールドプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタ論理デバイス、ディスクリートハードウェアコンポーネント等であってもよいことが理解されるべきである。汎用プロセッサはマイクロプロセッサであってもよく、プロセッサは任意の従来のプロセッサなどであってもよい。
【０１１３】
メモリ６４０は、読み出し専用メモリおよびランダムアクセスメモリを含み得、プロセッサ６３０に命令およびデータを提供し得る。メモリ６４０の一部は、不揮発性ランダムアクセスメモリをさらに含み得る。例えば、メモリ６４０は、デバイスタイプの情報をさらに記憶してもよい。
【０１１４】
実施において、方法の各コンテンツは、プロセッサ６３０内のハードウェアの集積論理回路またはソフトウェア形態の命令によって達成され得る。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ６４０に位置し、プロセッサ６３０は、メモリ６４０内の情報を読み出し、そのハードウェアと組み合わせて、上述した方法の内容を実現する。重複を避けるため、ここでは詳細な説明は省略する。
【０１１５】
具体的な実施例において、ネットワークデバイス４００における第１の送信ユニット及び第２の送信ユニットは、図７における出力インターフェイス６２０によって具現される。
【０１１６】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１１７】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１１８】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１１９】
この分離手段として説明するユニットは、物理的に分離していても、分離していなくてもよく、ユニットとして表示する手段は、物理的なユニットであっても、物理的なユニットでなくても、１箇所にあっても、複数のネットワークユニットに分散していてもよい。また、本実施例の目的は、必要に応じて各部の一部又は全部を選択して実施することができる。
【０１２０】
また、本願の各実施例における各機能部は、１つの処理部に集積されてもよいし、各部は、物理的に別個に存在してもよいし、２つ以上の部が１つの部に集積されてもよい。
【０１２１】
この機能をソフトウェア機能ユニットの形で実現し、スタンドアロン製品として販売又は使用する場合には、コンピュータ読み取り可能な記憶媒体に記憶させることができる。このような理解に基づいて、本願の技術的解決策の本質または従来技術に寄与する部分、または技術的解決策の部分は、１つの記憶媒体に記憶されたソフトウェア製品の形態で具現化されてもよく、このソフトウェア製品は、コンピュータ装置(パーソナルコンピュータ、サーバ、またはネットワークデバイスなどであってもよい)に本願の様々な実施例のステップの全部または一部を実行させるための複数の命令を含む。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１２２】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって決定されるべきである。
【図１】
2021515438.tif 000003
【図２】
2021515438.tif 000004
【図３】
2021515438.tif 000005
【図４】
2021515438.tif 000006
【図５】
2021515438.tif 000007
【図６】
2021515438.tif 000008
【図７】
2021515438.tif 000009
【手続補正書】
【提出日】令和2年12月11日(2020.12.11)
【手続補正１】
【補正対象書類名】明細書
【補正対象項目名】全文
【補正方法】変更
【補正の内容】
【発明の詳細な説明】
【技術分野】
【０００１】
本願の実施例は、通信分野に関し、具体的に、電力制御のための方法、端末デバイス及びネットワークデバイスに関する。
【背景技術】
【０００２】
従来の新ラジオ( Ｎｅｗ Ｒａｄｉｏ、ＮＲ )設計では、ユーザ機器( Ｕｓｅｒ Ｅｑｕｉｐｍｅｎｔ、ＵＥ )の上り伝送がマルチビームをサポートしない場合、ネットワークは、上り伝送のパスロス推定のためにＵＥに１つの下り参照信号( Ｄｏｗｎｌｉｎｋ Ｒｅｆｅｒｅｎｃｅ Ｓｉｇｎａｌ、ＤＬ ＲＳ )を構成するだけである。しかし、ネットワークデバイスは、ＵＥのために複数の帯域幅部分( ｂａｎｄｗｉｄｔｈ ｐａｒｔ、ＢＷＰ )を構成し、シグナリングを介してＵＥが異なるＢＷＰで動的に伝送するように指示することができ、これにより、端末デバイスは、いずれのＢＷＰに切り替える場合でも、上り伝送のためのパスロス推定として同じＤＬ ＲＳを使用することができ、上り伝送のためのパスロス推定誤差を大きくし、システム性能を低下させる。
【発明の概要】
【０００３】
本願の実施例は、上記に鑑みて、電力制御の精度を向上させ、システムの性能を改善させることができる電力制御のための方法、端末デバイス及びネットワークデバイスを提供する。
【０００４】
第１の態様は、電力制御のための方法を提供し、該方法は、端末デバイスが第１の帯域幅部分に対応する第１の下り参照信号リソースグループを決定することと、該端末デバイスが該第１の下り参照信号リソースグループにおける下り参照信号リソースに対応する信号に基づいて、伝送される上りデータの送信電力の計算に使用されるパスロス値を決定することとを含み、該第１の下り参照信号リソースグループは、少なくとも１つの下り参照信号リソースを含む。
【０００５】
各ＢＷＰで対応する下り参照信号のリソースグループをそれぞれ構成することで、端末デバイスは上り伝送に対するパスロス推定をより良好に行うことができ、電力制御の精度向上に寄与し、システム性能を向上させることができる。
【０００６】
ある実現可能な形態において、該端末デバイスが第１の帯域幅部分に対応する第１の下り参照信号リソースグループを決定することは、該端末デバイスが帯域幅部分と下り参照信号リソースグループとのマッピング関係に基づいて、該第１の帯域幅部分に対応する該第１の下り参照信号リソースグループを決定することを含む。
【０００７】
端末デバイスは、ＢＷＰと下り参照信号リソースグループとのマッピング関係に基づいて、対応するＢＷＰの下り参照信号リソースグループを決定することができ、これにより、端末デバイスは、ＢＷＰを動的に切り替えながら適切な下り参照信号リソースグループを柔軟に使用して上り伝送のパスロス推定を行うことができる。
【０００８】
ある実現可能な形態において、該マッピング関係は、Ｋ個の下り参照信号リソースグループとＸ個の下り帯域幅部分との対応関係を含み、ＫとＸが１よりも大きい正の整数であり、ＫがＸ以下である。
【０００９】
ある実現可能な形態において、該マッピング関係は、Ｍ個の下り参照信号リソースグループとＹ個の上り帯域幅部分との対応関係を含み、ＭとＹが１よりも大きい正の整数である。
【００１０】
ある実現可能な形態において、該方法は、さらに、該端末デバイスがネットワークデバイスにより送信された第１の情報を受信することを含み、該第１の情報は、該第１の帯域幅部分を活性化するように指示し、該端末デバイスが帯域幅部分と下り参照信号リソースグループとのマッピング関係に基づいて、該第１の帯域幅部分に対応する該第１の下り参照信号リソースグループを決定することは、該端末デバイスが該マッピング関係及び該第１の帯域幅部分に基づいて、該第１の帯域幅部分に対応する該第１の下り参照信号リソースグループを決定することを含む。
【００１１】
ある実現可能な形態において、該第１の情報は、上位層シグナリング、メディアアクセス制御ＭＡＣ制御要素ＣＥシグナリング又は下り制御情報ＤＣＩに搬送される。
【００１２】
ある実現可能な形態において、該方法は、さらに、該端末デバイスがネットワークデバイスにより送信された第２の情報を受信することを含み、該第２の情報が該マッピング関係を示す。
【００１３】
ある実現可能な形態において、該第２の情報は、上位層シグナリング、メディアアクセス制御ＭＡＣ制御要素ＣＥシグナリング又は下り制御情報ＤＣＩに搬送される。
【００１４】
ある実現可能な形態において、端末デバイスが第１の帯域幅部分に対応する第１の下り参照信号リソースグループを決定する前に、該方法は、さらに、該端末デバイスがネットワークデバイスにより送信された第３の情報を受信することを含み、該第３の情報は、活性化される該第１の帯域幅部分に対応する該第１の下り参照信号リソースグループを示し、該端末デバイスが第１の帯域幅部分に対応する第１の下り参照信号リソースグループを決定することは、該端末デバイスが該第３の情報に基づいて、該第１の帯域幅部分に対応する該第１の下り参照信号リソースグループを決定することを含む。
【００１５】
ある実現可能な形態において、該第３の情報は、該第１の帯域幅部分の活性化を指示するための上位層シグナリング、メディアアクセス制御ＭＡＣ制御要素ＣＥシグナリング又は下り制御情報ＤＣＩ中に搬送される。
【００１６】
ある実現可能な形態において、該下り参照信号リソースは、チャネル状態指示参照信号ＣＳＩ−ＲＳリソース及び／又は同期信号／ブロードキャストチャンネルブロックを含む。
【００１７】
ある実現可能な形態において、該方法は、さらに、該端末デバイスが該パスロス値に基づいて、該伝送される上りデータの送信電力を決定することと、該端末デバイスが該送信電力に基づいて、該伝送される上りデータを送信することとを含む。
【００１８】
第２の態様は、電力制御のための方法を提供し、該方法は、ネットワークデバイスが端末デバイスに第１の情報を送信することを含み、該第１の情報は、該端末デバイスが第１の帯域幅部分に対応する第１の下り参照信号リソースグループを決定するために使用され、該第１の下り参照信号リソースグループにおける下り参照信号リソースに対応する信号は、該端末デバイスが伝送される上りデータの送信電力を計算する時に使用されるパスロス値を決定するために使用され、該第１の下り参照信号リソースグループが少なくとも１つの下り参照信号リソースを含む。
【００１９】
ある実現可能な形態において、該第１の情報は、帯域幅部分と下り参照信号リソースグループとのマッピング関係である。
【００２０】
ある実現可能な形態において、該マッピング関係は、Ｋ個の下り参照信号リソースグループとＸ個の下り帯域幅部分との対応関係を含み、ＫとＸが１よりも大きい正の整数であり、ＫがＸ以下である。
【００２１】
ある実現可能な形態において、該マッピング関係は、Ｍ個の下り参照信号リソースグループとＹ個の上り帯域幅部分との対応関係を含み、ＭとＹが１よりも大きい正の整数である。
【００２２】
ある実現可能な形態において、該方法は、さらに、該ネットワークデバイスが該端末デバイスに第２の情報を送信することを含み、該第２の情報は、該第１の帯域幅部分を活性化するように指示する。
【００２３】
ある実現可能な形態において、該第２の情報は、上位層シグナリング、メディアアクセス制御ＭＡＣ制御要素ＣＥシグナリング又は下り制御情報ＤＣＩに搬送される。
【００２４】
ある実現可能な形態において、該第１の情報は、上位層シグナリング、メディアアクセス制御ＭＡＣ制御要素ＣＥシグナリング又は下り制御情報ＤＣＩに搬送される。
【００２５】
ある実現可能な形態において、該第１の情報は、活性化される該第１の帯域幅部分に対応する該第１の下り参照信号リソースグループを示す。
【００２６】
ある実現可能な形態において、該第１の情報は、該第１の帯域幅部分の活性化を指示するための上位層シグナリング、メディアアクセス制御ＭＡＣ制御要素ＣＥシグナリング又は下り制御情報ＤＣＩに搬送される。
【００２７】
ある実現可能な形態において、該下り参照信号リソースは、チャネル状態指示参照信号ＣＳＩ−ＲＳリソース及び／又は同期信号／ブロードキャストチャンネルブロックを含む。
【００２８】
第３の態様は、上記の第１の態様または第１の態様の任意の可能な実装における方法を実行するための端末デバイスを提供する。具体的には、端末デバイスは、上記の第１の態様または第１の態様の任意の可能な実装形態における方法を実行するためのユニットを含む。
【００２９】
第４の態様は、上記の第２の態様または第２の態様の任意の可能な実装における方法を実行するためのネットワークデバイスを提供する。具体的には、ネットワークデバイスは、上記の第２の態様または第２の態様の任意の可能な実装形態における方法を実行するためのユニットを含む。
【００３０】
第５の形態は、メモリと、プロセッサと、入力インタフェースと、出力インタフェースとを有する端末デバイスを提供する。メモリ、プロセッサ、入力インタフェース、出力インタフェースは、バスシステムを介して接続される。メモリは、命令を記憶するために使用され、プロセッサは、メモリに記憶された命令を実行して、第１の態様または第１の態様の任意の可能な実装形態において、方法を実行するために使用される。
【００３１】
第６の形態は、メモリと、プロセッサと、入力インタフェースと、出力インタフェースとを有するネットワークデバイスを提供する。メモリ、プロセッサ、入力インタフェース、出力インタフェースは、バスシステムを介して接続される。メモリは、命令を記憶するために使用され、プロセッサは、メモリに記憶された命令を実行して、第２の態様または第２の態様の任意の可能な実装形態において、方法を実行するために使用される。
【００３２】
第７の態様は、上記の第１の態様または第１の態様の任意の可能な実装形態における方法、または上記の第２の態様または第２の態様の任意の可能な実装形態における方法を実行するためのコンピュータソフトウェア命令を記憶するためのコンピュータ記憶媒体を提供し、上記の態様を実行するように設計されたプログラムを含む。
【００３３】
第８の態様は、命令を備えるコンピュータプログラム製品を提供し、コンピュータ上で実行されると、コンピュータに、上記の第１の態様もしくは第１の態様の任意の実装形態における方法、または上記の第２の態様もしくは第２の態様の任意の実装形態における方法を実行させる。
【００３４】
本願において、端末デバイス及びネットワークデバイス等の名称は、機器自体を限定するものではなく、実際の実現においては、これらの機器は別の名称で登場してもよい。各装置の機能が本願と類似する限り、本願の特許請求の範囲及びその均等物の範囲に属する。
【００３５】
本願のこれらの態様または他の態様は、以下の実施例の説明においてより容易に理解されるであろう。
【図面の簡単な説明】
【００３６】
【図１】本願の実施例における応用シーンの模式図である。
【図２】本願の実施例における上り電力のためのブロック図である。
【図３】本願の実施例における上り電力のための他のブロック図である。
【図４】本願の実施例における端末デバイスのブロック図である。
【図５】本願の実施例におけるネットワークデバイスのブロック図である。
【図６】本願の実施例における端末デバイスの他のブロック図である。
【図７】本願の実施例におけるネットワークデバイス他のブロック図である。
【発明を実施するための形態】
【００３７】
以下、本願の実施例における技術的解決策を、本願の実施例における添付図面と併せて、明確かつ完全に説明する。
【００３８】
本願の実施例の技術的解決策は、例えば、全地球移動通信( Ｇｌｏｂａｌ Ｓｙｓｔｅｍ ｏｆ Ｍｏｂｉｌｅ ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューションＬＴＥシステム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉMAX )通信システム、新規無線( Ｎｅｗ Ｒａｄｉｏ、ＮＲ )、又は将来の５Ｇシステム等の様々な通信システムに適用可能であることが理解されるべきである。
【００３９】
特に、本出願の実施例の技術的解決策は、スパースコード多元接続( Ｓｐａｒｓｅ Ｃｏｄｅ Ｍｕｌｔｉｐｌｅ Ａｃｃｅｓｓ、ＳＣＭＡ )システム、低密度シグネチャ( Ｌｏｗ Ｄｅｎｓｉｔｙ Ｓｉｇｎａｔｕｒｅ、ＬＤＳ )システム等の様々な非直交多元接続技術に基づく通信システムに適用され得るが、ＳＣＭＡシステム及びLDＳシステムは、通信分野において別名としても知られてもよい。さらに、本願の実施例の技術的方式は、非直交多元接続技術を採用するマルチキャリア伝送システム、例えば、非直交多元接続技術を採用する直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＯＦＤＭ )、フィルタグループマルチキャリア( Ｆｉｌｔｅｒ Ｂａｎｋ Ｍｕｌｔｉ−Ｃａｒｒｉｅｒ、ＦＢＭＣ )、汎用周波数分割多重( Ｇｅｎｅｒａｌｉｚｅｄ Ｆｒｅｑｕｅｎｃｙ Ｄｉｖｉｓｉｏｎ Ｍｕｌｔｉｐｌｅｘｉｎｇ、ＧＦＤＭ )、フィルタリング直交周波数分割多重( Ｆｉｌｔｅｒｅｄ−ＯＦＤＭ、Ｆ−ＯＦＤＭ )システム等に適用されてもよい。
【００４０】
本願の実施例における端末デバイスは、ユーザ装置( Ｕｓｅｒ Ｅｑｕｉｐｍｅｎｔ、ＵＥ )、アクセス端末、ユーザ装置、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来に発展する公共地上モバイル通信ネットワーク( Ｐｕｂｌｉｃ Ｌａｎｄ Ｍｏｂｉｌｅ Ｎｅｔｗｏｒｋ、ＰＬＭＮ )における端末デバイスなどであり得るが、本開示の実施例は限定されない。
【００４１】
本願の実施例におけるネットワークデバイスは、端末デバイスと通信するための装置であってもよく、該ネットワークデバイスは、ＧＳＭ又はＣＤＭＡにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ ＮｏｄｅＢ、ｅＮＢ又はｅＮｏｄｅＢ )、クラウド無線アクセスネットワーク( Ｃｌｏｕｄ Ｒａｄｉｏ Ａｃｃｅｓｓ Ｎｅｔｗｏｒｋ、ＣＲＡＮ )シナリオにおける無線コントローラであってもよく、又は該ネットワークデバイスは、中継局、アクセスポイント、車載装置、ウェアラブル装置、及び将来の５Ｇネットワークにおけるネットワークデバイス、又は将来の発展型ＰＬＭＮネットワークにおけるネットワークデバイス等であってもよく、本願の実施例は限定されない。
【００４２】
図１は、本願の実施例に係る応用シーンの概略図である。図１の通信システムは、端末デバイス１０とネットワークデバイス２０とを含みうる。ネットワークデバイス２０は、端末デバイス１０に通信サービスを提供し、コアネットワークにアクセスするためのものであり、端末デバイス１０は、ネットワークデバイス２０から送信された同期信号やブロードキャスト信号等を検索することによりネットワークにアクセスし、ネットワークとの通信を行う。図１に示される矢印は、端末デバイス１０とネットワークデバイス２０との間のセルラーリンクを介した上り/下りの伝送を表すことができる。
【００４３】
現在のＮＲ設計では、ＵＥの上り伝送が異なるビームをサポートするとき、ネットワークは、ＵＥに異なるビームに対応するＤＬ ＲＳを構成して、端末デバイスが異なるビームを利用して上り伝送するときに、それぞれのＤＬ ＲＳに従ってパスロス推定を行うことができる。ＵＥの上り伝送がマルチビームをサポートしない場合、ネットワークは、ＵＥのために１つのＤＬ ＲＳだけを構成する。
【００４４】
ＮＲでは、ネットワークは、ＵＥのための複数の下り帯域幅部分( Ｄｏｗｎｌｉｎｋ ｂａｎｄｗｉｄｔｈ ｐａｒｔ、ＤＬ ＢＷＰ )または上り帯域幅部分( Ｕｐｌｉｎｋ ｂａｎｄｗｉｄｔｈ ｐａｒｔ、ＵＬ ＢＷＰ )を構成することができ、ネットワークは、下り制御情報( Ｄｏｗｎｌｉｎｋ Ｃｏｎｔｒｏｌ Ｉｎｆｏｒｍａｔｉｏｎ、ＤＣＩ )またはメディアアクセス制御( Ｍｅｄｉａ Ａｃｃｅｓｓ Ｃｏｎｔｒｏｌ、ＭＡＣ )制御要素( Ｃｏｎｔｒｏｌ Ｅｌｅｍｅｎｔ、ＣＥ )などによって、異なるＢＷＰ上での相対的動的な伝送を示すことができる。ＢＷＰを切り替えた後も、同じＤＬ ＲＳを用いて上り伝送のパスロス推定を行うと、誤差が大きくなり、算出される送信電力が不十分となるおそれがある。このため、端末デバイスがＢＷＰを切り替えた後に、より適切なＤＬ ＲＳを利用してパスロス推定を行う方法が必要がある。
【００４５】
図２は本願の実施例における電力制御のための方法１００のブロック図である。図２に示すように、該方法１００は、以下の少なくともの一部を含む。
【００４６】
Ｓ１１０において、端末デバイスが第１の帯域幅部分に対応する第１の下り参照信号リソースグループを決定し、該第１の下り参照信号リソースグループが少なくとも１つの下り参照信号リソースを含み、
Ｓ１２０において、該端末デバイスが該第１の下り参照信号リソースグループにおける下り参照信号リソースに対応する信号に基づいて、伝送される上りデータの送信電力の計算に使用されるパスロス値を決定する。
【００４７】
具体的には、ネットワークデバイスは、端末デバイスのためにＫ個のＤＬ ＲＳリソースグループを構成することができ、ここで、各ＤＬ ＲＳリソースグループは、少なくとも１つのＤＬ ＲＳを含むことができる。各ＤＬ ＲＳが含むＤＬ ＲＳの数は、端末デバイスによってサポートされるビームの数と同じであってもよい。例えば、端末デバイスがマルチビームをサポートしない場合、各ＤＬ ＲＳリソースグループは、１つのＤＬ ＲＳリソースを含み、端末デバイスがＮ個のビームをサポートし、Ｎは１より大きい正の整数である場合、ＤＬ ＲＳリソースグループの各々は、Ｎ個のＤＬ ＲＳリソースを含む。ネットワークデバイスは、端末デバイスのために構成されたＤＬ ＢＷＰまたはＵＬ ＢＷＰを、Ｋ個のＤＬ ＲＳリソースグループの一部または全部に関連付けることができる。これにより、端末デバイスは、該当するＢＷＰに対応するＤＬ ＲＳリソースグループを取得し、さらに、特定されたＤＬ ＲＳリソースグループ中のＤＬ ＲＳリソースに対応する信号を用いて、上り伝送のパスロス値を特定することができる。
【００４８】
したがって、本願の実施例の電力制御のための方法は、電力制御の精度を向上させるのに有利であり、システム性能を向上させることができる。
【００４９】
任意選択で、本願の実施例において、該端末デバイスが第１の帯域幅部分に対応する第１の下り参照信号リソースグループを決定することは、該端末デバイスが帯域幅部分と下り参照信号リソースグループとのマッピング関係に基づいて、該第１の帯域幅部分に対応する該第１の下り参照信号リソースグループを決定することを含む。
【００５０】
端末デバイスは、予めＢＷＰとＤＬ ＲＳリソースグループとのマッピング関係を記憶しており、具体的には、該マッピング関係は、ネットワークデバイスで構成されていてもよいし、プロトコルで合意されていてもよい。端末デバイスがする時にその内部の記憶モジュールに該マッピング関係が記憶される。端末デバイスがあるＢＷＰに切り替える場合、端末デバイスは、切り替えるＢＷＰに対応するＤＬ ＲＳリソースグループをマッピング関係から検索し、端末デバイスは、決定されたＤＬ ＲＳリソースグループの中のＤＬ ＲＳリソースに対応する信号に基づいて、上り伝送のパスロス推定を行うことができる。
【００５１】
端末デバイスは、ＢＷＰと下り参照信号リソースグループとのマッピング関係に基づいて、ＢＷＰ上の下り参照信号リソースグループを決定することができ、これにより、端末デバイスは、ＢＷＰを動的に切り替えながら適切な下り参照信号リソースグループを柔軟に使用して上り伝送のパスロス推定を行うことができる。
【００５２】
なお、このマッピング関係は、ＤＬ ＢＷＰとＤＬ ＲＳリソースグループとの間の対応関係であってもよく、マッピング関係は、ＵＬ ＢＷＰとＤＬ ＲＳリソースグループとの間の対応関係であってもよく、マッピング関係は、ＤＬ ＢＷＰ、ＵＬ ＢＷＰ、及びＤＬ ＲＳの三者間のマッピング関係であってもよく、本願実施例は、ＢＷＰのタイプを限定しない。
【００５３】
また、ネットワークデバイスが端末デバイスに構成するＤＬ ＲＳリソースグループの数は、端末デバイスに構成するＤＬ ＢＷＰの数よりも多くはならないことを理解されたい。しかし、ネットワークデバイスが端末デバイスに構成するＤＬ ＲＳのリソースグループの数は、端末デバイスに構成するＵＬ ＢＷＰの数により限定されない。
【００５４】
任意選択で、本願の実施例において、該方法は、さらに、該端末デバイスがネットワークデバイスにより送信された第１の情報を受信することを含み、該第１の情報は、該第１の帯域幅部分を活性化するように指示し、該端末デバイスが帯域幅部分と下り参照信号リソースグループとのマッピング関係に基づいて、該第１の帯域幅部分に対応する該第１の下り参照信号リソースグループを決定することは、該端末デバイスが該マッピング関係及び該第１の帯域幅部分に基づいて、該第１の帯域幅部分に対応する該第１の下り参照信号リソースグループを決定することを含む。
【００５５】
具体的には、ネットワークデバイスは、あるＢＷＰを活性化することを、上位層シグナリング、ＭＡＣ ＣＥシグナリング、またはＤＣＩシグナリングによって端末デバイスに指示してもよく、ＤＬ ＢＷＰであってもよく、ＵＬ ＢＷＰであってもよく、該上位層シグナリングは、例えば、無線リソース制御( Ｒａｄｉｏ Ｒｅｓｏｕｒｃｅ Ｃｏｎｔｒｏｌ、ＲＲＣ )シグナリングであってもよい。
【００５６】
任意選択で、マッピング関係がネットワークデバイスによって端末デバイスに構成される場合、ネットワークデバイスは、同様に、上位層シグナリング、ＭＡＣ ＣＥシグナリング、またはＤＣＩシグナリングによって端末デバイスに示され得る。
【００５７】
任意選択で、端末デバイスが第１の帯域幅部分に対応する第１の下り参照信号リソースグループを決定する前に、該方法は、さらに、該端末デバイスがネットワークデバイスにより送信された第３の情報を受信することを含み、該第３の情報は、活性化される該第１の帯域幅部分に対応する該第１の下り参照信号リソースグループを示し、該端末デバイスが第１の帯域幅部分に対応する第１の下り参照信号リソースグループを決定することは、該端末デバイスが該第３の情報に基づいて、該第１の帯域幅部分に対応する該第１の下り参照信号リソースグループを決定することを含む。
【００５８】
つまり、ネットワークデバイスは、端末デバイスにＢＷＰとＤＬ ＲＳリソースグループとのマッピング関係を前もって構成するのではなく、ネットワークデバイスが端末デバイスにＢＷＰの切り替えを指示したときに、そのＢＷＰに対応するＤＬ ＲＳリソースグループを端末デバイスに構成するようにしてもよい。例えば、ネットワークデバイスがＢＷＰ１の活性化を指示すると、ネットワークデバイスは、そのＢＷＰ１を参照し、端末デバイスにそのＢＷＰ１に適合するＤＬ ＲＳリソースグループを構成して端末デバイスに指示することができ、さらに、端末デバイスは、指示されたＤＬ ＲＳリソースグループにおけるＤＬ ＲＳリソースに対応する信号に基づいて、上り伝送のパスロス推定を行うことができる。
【００５９】
さらに、ネットワークデバイスは、あるＢＷＰを活性化しながら、そのＢＷＰに対応するＤＬ ＲＳリソースグループを指示することができる。例えば、ネットワークデバイスは、同じ上位層シグナリング、同じＭＡＣ ＣＥシグナリング、またはＤＣＩシグナリングを介して、あるＢＷＰを活性化することを、及び、そのＢＷＰに対応するＤＬ ＲＳリソースグループを端末デバイスに示し得る。ネットワークデバイスは、あるＢＷＰの活性化と、そのＢＷＰに対応するＤＬ ＲＳリソースグループを端末デバイスに指示することを別々に指示してもよく、本願実施例はこれに限定されない。
【００６０】
なお、ネットワークデバイスがＢＷＰに対応するＤＬ ＲＳリソースグループを示す前に、端末デバイスは、以前のＤＬ ＲＳリソースグループを用いて、パスロス推定を行う必要がある。
【００６１】
また、本願の実施例におけるＤＬ ＲＳは、チャネル状態情報参照信号( Ｃｈａｎｎｅｌ Ｓｔａｔｅ Ｉｎｆｏｒｍａｔｉｏｎ−Ｒｅｆｅｒｅｎｃｅ Ｓｉｇｎａｌｓ、ＣＳＩ−ＲＳ )及び/又は同期信号( Ｓｙｎｃｈｒｏｎｏｕｓ Ｓｉｇｎａｌ ) /物理ブロードキャストチャネル( Ｂｒｏａｄｃａｓｔ Ｃｈａｎｎｅｌ、ＰＢＣＨ )ブロック( ＳＳ / ＰＢＣＨ Ｂｌｏｃｋ )を含むことができる。
【００６２】
さらに、端末デバイスがパスロス値を決定した後、該方法は、さらに、該端末デバイスが該パスロス値に基づいて、該伝送される上りデータの送信電力を決定することと、該端末デバイスが該送信電力に基づいて、該伝送される上りデータを送信することとを含む。
【００６３】
なお、本明細書における第１の情報、第２の情報、および第３の情報は、任意の組合せで同じシグナリングに搬送されてもよく、本願の実施例は、これに限定されない
図３は本願の実施例における電力制御のための方法２００のブロック図である。図３に示すように、該方法２００は、以下のステップを含む。
【００６４】
Ｓ２１０において、ネットワークデバイスが端末デバイスに第１の情報を送信し、該第１の情報は、該端末デバイスが第１の帯域幅部分に対応する第１の下り参照信号リソースグループを決定するために使用され、該第１の下り参照信号リソースグループにおける下り参照信号リソースに対応する信号は、該端末デバイスが伝送される上りデータの送信電力を計算する時に使用されるパスロス値を決定するために使用され、該第１の下り参照信号リソースグループが少なくとも１つの下り参照信号リソースを含む。
【００６５】
したがって、本願の実施例の電力制御のための方法は、電力制御の精度を向上させるのに有利であり、システム性能を向上させることができる。
【００６６】
任意選択で、本願の実施例において、該第１の情報は、帯域幅部分と下り参照信号リソースグループとのマッピング関係である。
【００６７】
任意選択で、本願の実施例において、該マッピング関係は、Ｋ個の下り参照信号リソースグループとＸ個の下り帯域幅部分との対応関係を含み、ＫとＸが１よりも大きい正の整数であり、ＫがＸ以下である。
【００６８】
任意選択で、本願の実施例において、該マッピング関係は、Ｍ個の下り参照信号リソースグループとＹ個の上り帯域幅部分との対応関係を含み、ＭとＹが１よりも大きい正の整数である。
【００６９】
任意選択で、本願の実施例において、該方法は、さらに、該ネットワークデバイスが該端末デバイスに第２の情報を送信することを含み、該第２の情報は、該第１の帯域幅部分を活性化するように指示する。
【００７０】
任意選択で、本願の実施例において、該第２の情報は、上位層シグナリング、メディアアクセス制御ＭＡＣ制御要素ＣＥシグナリング又は下り制御情報ＤＣＩに搬送される。
【００７１】
任意選択で、本願の実施例において、該第１の情報は、上位層シグナリング、メディアアクセス制御ＭＡＣ制御要素ＣＥシグナリング又は下り制御情報ＤＣＩに搬送される。
【００７２】
任意選択で、本願の実施例において、該第１の情報は、活性化される該第１の帯域幅部分に対応する該第１の下り参照信号リソースグループを示す。
【００７３】
任意選択で、本願の実施例において、該第１の情報は、該第１の帯域幅部分の活性化を指示するための上位層シグナリング、メディアアクセス制御ＭＡＣ制御要素ＣＥシグナリング又は下り制御情報ＤＣＩに搬送される。
【００７４】
任意選択で、本願の実施例において、該下り参照信号リソースは、チャネル状態指示参照信号ＣＳＩ−ＲＳリソース及び／又は同期信号／ブロードキャストチャンネルブロックを含む。
【００７５】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００７６】
ネットワークデバイスによって記述されるネットワークデバイスと端末デバイスとの間の相互作用及び関連する特性、機能などは、端末デバイスの関連する特性、機能に対応することが理解される。なお、関連する内容は、上記方法１００において詳細に説明されているので、簡潔のために、ここでは説明しない。
【００７７】
また、本願の様々な実施例において、上述のプロセスの順序の大きさは、実行順序の前後を意味するものではなく、各プロセスの実行順序は、その機能及び内部ロジックにおいて決定されるべきであり、本願の実施例のプロセスを何ら限定するものではないことを理解されたい。
【００７８】
以上、本願の実施例に係る電力制御方法について詳細に説明したが、以下、図４〜図７を参照しながら、本願の実施例に係る電力制御装置について説明する。
【００７９】
図４は本願の実施例における端末デバイス３００のブロック図を示す。図４に示すように、該端末デバイス３００は、第１の決定ユニット３１０及び第２の決定ユニット３２０を含み
第１の決定ユニット３１０は、第１の帯域幅部分に対応する第１の下り参照信号リソースグループを決定するように構成され、該第１の下り参照信号リソースグループが少なくとも１つの下り参照信号リソースを含み、
第２の決定ユニット３２０は、該第１の下り参照信号リソースグループにおける下り参照信号リソースに対応するに基づいて、伝送される上りデータの送信電力の計算に使用されるパスロス値を決定するように構成される。
【００８０】
したがって、本願の実施例に係る端末デバイスは、電力制御の精度を向上させるのに有利となり、システム性能を向上させることができる。
【００８１】
任意選択で、本願の実施例において、該第１の決定ユニットは、具体的に、帯域幅部分と下り参照信号リソースグループとのマッピング関係に基づいて、該第１の帯域幅部分に対応する該第１の下り参照信号リソースグループを決定するように構成される。
【００８２】
任意選択で、本願の実施例において、該マッピング関係は、Ｋ個の下り参照信号リソースグループとＸ個の下り帯域幅部分との対応関係を含み、ＫとＸが１よりも大きい正の整数であり、ＫがＸ以下である。
【００８３】
任意選択で、本願の実施例において、該マッピング関係は、Ｍ個の下り参照信号リソースグループとＹ個の上り帯域幅部分との対応関係を含み、ＭとＹが１よりも大きい正の整数である。
【００８４】
任意選択で、本願の実施例において、該端末デバイスが第１の受信ユニットをさらに含み、第１の受信ユニットは、ネットワークデバイスにより送信された第１の情報を受信するように構成され、該第１の情報は、該第１の帯域幅部分を活性化するように指示し、該第１の決定ユニットが帯域幅部分と下り参照信号リソースグループとのマッピング関係に基づいて第１の帯域幅部分に対応する該第１の下り参照信号リソースグループを決定することは、具体的に、該マッピング関係及び該第１の帯域幅部分に基づいて、該第１の帯域幅部分に対応する該第１の下り参照信号リソースグループを決定することを含む。
【００８５】
任意選択で、本願の実施例において、該第１の情報は、上位層シグナリング、メディアアクセス制御ＭＡＣ制御要素ＣＥシグナリング又は下り制御情報ＤＣＩに搬送される。
【００８６】
任意選択で、本願の実施例において、該端末デバイスが第２の受信ユニットをさらに含み、第２の受信ユニットは、ネットワークデバイスにより送信された第２の情報を受信するように構成され、該第２の情報が該マッピング関係を示す。
【００８７】
任意選択で、本願の実施例において、該第２の情報は、上位層シグナリング、メディアアクセス制御ＭＡＣ制御要素ＣＥシグナリング又は下り制御情報ＤＣＩに搬送される。
【００８８】
任意選択で、本願の実施例において、端末デバイスが第１の帯域幅部分に対応する第１の下り参照信号リソースグループを決定する前に、該端末デバイスがさらに第３の受信ユニットを含み、第３の受信ユニットは、ネットワークデバイスにより送信された第３の情報を受信するように構成され、該第３の情報は、活性化される該第１の帯域幅部分に対応する該第１の下り参照信号リソースグループを示し、該第１の決定ユニットは、具体的に、該第３の情報に基づいて、該第１の帯域幅部分に対応する該第１の下り参照信号リソースグループを決定するように構成される。
【００８９】
任意選択で、本願の実施例において、該第３の情報は、該第１の帯域幅部分の活性化を指示するための上位層シグナリング、メディアアクセス制御ＭＡＣ制御要素ＣＥシグナリング又は下り制御情報ＤＣＩ中に搬送される。
【００９０】
任意選択で、本願の実施例において、該下り参照信号リソースは、チャネル状態指示参照信号ＣＳＩ−ＲＳリソース及び／又は同期信号／ブロードキャストブロードキャストを含む。
【００９１】
任意選択で、本願の実施例において、該端末デバイスが第３の決定ユニットをさらに含み、第３の決定ユニットは、該パスロス値に基づいて該伝送される上りデータの送信電力を決定するように構成され、送信ユニットは、該送信電力に基づいて該伝送される上りデータを送信するように構成される。
【００９２】
なお、本願の実施例による端末デバイス３００は、本願の実施例による端末デバイスに対応することができ、端末デバイス３００の各部の上述した及び他の動作及び/又は機能は、図２の方法による端末デバイスの対応するフローをそれぞれ実現するために、簡潔のために、ここでは説明を省略する。
【００９３】
図５は本願の実施例におけるネットワークデバイス４００のブロック図である。図５に示すように、該ネットワークデバイス４００は、第１の送信ユニット４１０を含み、
第１の送信ユニット４１０は、ネットワークデバイスが端末デバイスに第１の情報を送信するように構成され、該第１の情報は、該端末デバイスが第１の帯域幅部分に対応する第１の下り参照信号リソースグループを決定するために使用され、該第１の下り参照信号リソースグループにおける下り参照信号リソースに対応する信号は、該端末デバイスが伝送される上りデータの送信電力を計算する時に使用されるパスロス値を決定するために使用され、該第１の下り参照信号リソースグループが少なくとも１つの下り参照信号リソースを含む。
【００９４】
したがって、本願の実施例のネットワークデバイスは、電力制御の精度を向上させるのに有利であり、システム性能を向上させることができる。
【００９５】
任意選択で、本願の実施例において、該第１の情報は、帯域幅部分と下り参照信号リソースグループとのマッピング関係である。
【００９６】
任意選択で、本願の実施例において、該マッピング関係は、Ｋ個の下り参照信号リソースグループとＸ個の下り帯域幅部分との対応関係を含み、ＫとＸが１よりも大きい正の整数であり、ＫがＸ以下である。
【００９７】
任意選択で、本願の実施例において、該マッピング関係は、Ｍ個の下り参照信号リソースグループとＹ個の上り帯域幅部分との対応関係を含み、ＭとＹが１よりも大きい正の整数である。
【００９８】
任意選択で、本願の実施例において、該ネットワークデバイスが第２の送信ユニットをさらに含み、第２の送信ユニットは、該端末デバイスに第２の情報を送信するように構成され、該第２の情報は、該第１の帯域幅部分を活性化するように指示する。
【００９９】
任意選択で、本願の実施例において、該第２の情報は、上位層シグナリング、メディアアクセス制御ＭＡＣ制御要素ＣＥシグナリング又は下り制御情報ＤＣＩに搬送される。
【０１００】
任意選択で、本願の実施例において、該第１の情報は、上位層シグナリング、メディアアクセス制御ＭＡＣ制御要素ＣＥシグナリング又は下り制御情報ＤＣＩに搬送される。
【０１０１】
任意選択で、本願の実施例において、該第１の情報は、活性化される該第１の帯域幅部分に対応する該第１の下り参照信号リソースグループを示す。
【０１０２】
任意選択で、本願の実施例において、該第１の情報は、該第１の帯域幅部分の活性化を指示するための上位層シグナリング、メディアアクセス制御ＭＡＣ制御要素ＣＥシグナリング又は下り制御情報ＤＣＩに搬送される。
【０１０３】
任意選択で、本願の実施例において、該下り参照信号リソースは、チャネル状態指示参照信号ＣＳＩ−ＲＳリソース及び／又は同期信号／チャンネルブロックチャンネルブロックを含む。
【０１０４】
なお、本願の実施例によるネットワークデバイス４００は、本願の方法の実施例によるネットワークデバイスに対応することができ、ネットワークデバイス４００の各部の上記及び他の動作及び/又は機能は、それぞれ、図３の方法におけるネットワークデバイスの対応するフローを実施するために、簡潔のために、ここでは説明を省略する。
【０１０５】
図６に示されるように、本願の実施例は、端末デバイス５００をさらに提供し、この端末デバイス５００が図４の端末デバイス３００であってもよく、図２の方法１００に対応する端末デバイスのコンテンツを実行するために使用される。この端末デバイス５００は、入力インターフェース５１０、出力インターフェース５２０、プロセッサ５３０、及びメモリ５４０を備え、これらはバスシステムにより接続可能となっている。メモリ５４０は、プログラム、命令、又はコードを含むデータを記憶するために使用される。プロセッサ５３０は、メモリ５４０内のプログラム、命令、またはコードを実行して、入力インターフェース５１０を制御して信号を受信し、出力インターフェース５２０を制御して信号を送信し、前述の方法の実施例の動作を完了する。
【０１０６】
したがって、本願の実施例に係る端末デバイスは、電力制御の精度を向上させるのに有利となり、システム性能を向上させることができる。 
本願の実施例において、プロセッサ５３０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、フィールドプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタ論理デバイス、ディスクリートハードウェアコンポーネント等であってもよいことが理解されるべきである。汎用プロセッサはマイクロプロセッサであってもよく、プロセッサは任意の従来のプロセッサなどであってもよい。
【０１０７】
メモリ５４０は、読み出し専用メモリおよびランダムアクセスメモリを含むことができ、プロセッサ５３０に命令およびデータを提供する。メモリ５４０の一部は、不揮発性ランダムアクセスメモリも含み得る。例えば、メモリ５４０は、デバイスタイプの情報をさらに記憶することができる。
【０１０８】
実施において、方法の各コンテンツは、プロセッサ５３０におけるハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ５４０に位置し、プロセッサ５３０は、メモリ５４０内の情報を読み出し、そのハードウェアとともに、上述した方法の内容を実現する。重複を避けるため、ここでは詳細な説明は省略する。
【０１０９】
具体的な実施例において、端末デバイス３００の第１の決定ユニット、第２の決定ユニット及び第３の決定ユニットは、図６のプロセッサ５３０によって具現され、端末デバイス３００の送信ユニットは、図６の出力インターフェイス５２０によって具現され、端末デバイス３００の第１の受信ユニット、第２の受信ユニット及び第３の受信ユニットは、図６の入力インターフェイス５１０によって具現される。
【０１１０】
図７に示すように、本願の実施例は、ネットワークデバイス６００をさらに提供し、このネットワークデバイス６００が図５のネットワークデバイス４００であってもよく、図３の方法２００に対応するネットワークデバイスのコンテンツを実行するために使用される。このネットワークデバイス６００は、入力インターフェース６１０、出力インターフェース６２０、プロセッサ６３０、及びメモリ６４０を備え、これらはバスシステムにより接続可能となっている。メモリ６４０は、プログラム、命令、又はコードを含むデータを記憶するために使用される。プロセッサ６３０は、メモリ６４０内のプログラム、命令、またはコードを実行して、入力インターフェース６１０を制御して信号を受信し、出力インターフェース６２０を制御して信号を送信し、前述の方法の実施例の動作を完了する。
【０１１１】
したがって、本願実施例のネットワークデバイスは、電力制御の精度を向上させるのに有利であり、システム性能を向上させることができる。
【０１１２】
本願の実施例において、プロセッサ６３０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、フィールドプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタ論理デバイス、ディスクリートハードウェアコンポーネント等であってもよいことが理解されるべきである。汎用プロセッサはマイクロプロセッサであってもよく、プロセッサは任意の従来のプロセッサなどであってもよい。
【０１１３】
メモリ６４０は、読み出し専用メモリおよびランダムアクセスメモリを含み得、プロセッサ６３０に命令およびデータを提供し得る。メモリ６４０の一部は、不揮発性ランダムアクセスメモリをさらに含み得る。例えば、メモリ６４０は、デバイスタイプの情報をさらに記憶してもよい。
【０１１４】
実施において、方法の各コンテンツは、プロセッサ６３０内のハードウェアの集積論理回路またはソフトウェア形態の命令によって達成され得る。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ６４０に位置し、プロセッサ６３０は、メモリ６４０内の情報を読み出し、そのハードウェアと組み合わせて、上述した方法の内容を実現する。重複を避けるため、ここでは詳細な説明は省略する。
【０１１５】
具体的な実施例において、ネットワークデバイス４００における第１の送信ユニット及び第２の送信ユニットは、図７における出力インターフェイス６２０によって具現される。
【０１１６】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１１７】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１１８】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１１９】
この分離手段として説明するユニットは、物理的に分離していても、分離していなくてもよく、ユニットとして表示する手段は、物理的なユニットであっても、物理的なユニットでなくても、１箇所にあっても、複数のネットワークユニットに分散していてもよい。また、本実施例の目的は、必要に応じて各部の一部又は全部を選択して実施することができる。
【０１２０】
また、本願の各実施例における各機能部は、１つの処理部に集積されてもよいし、各部は、物理的に別個に存在してもよいし、２つ以上の部が１つの部に集積されてもよい。
【０１２１】
この機能をソフトウェア機能ユニットの形で実現し、スタンドアロン製品として販売又は使用する場合には、コンピュータ読み取り可能な記憶媒体に記憶させることができる。このような理解に基づいて、本願の技術的解決策の本質または従来技術に寄与する部分、または技術的解決策の部分は、１つの記憶媒体に記憶されたソフトウェア製品の形態で具現化されてもよく、このソフトウェア製品は、コンピュータ装置(パーソナルコンピュータ、サーバ、またはネットワークデバイスなどであってもよい)に本願の様々な実施例のステップの全部または一部を実行させるための複数の命令を含む。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１２２】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって決定されるべきである。
【手続補正２】
【補正対象書類名】特許請求の範囲
【補正対象項目名】全文
【補正方法】変更
【補正の内容】
【特許請求の範囲】
【請求項１】
複数の帯域幅部分（ＢＷＰ）を含むシステムに応用される電力制御のための方法であって、
端末デバイスが第１のＢＷＰに対応する第１の下り参照信号リソースグループを決定することと、
前記端末デバイスが前記第１の下り参照信号リソースグループにおける少なくとも１つの下り参照信号リソースに対応する信号に基づいて、伝送される上りデータを送信する送信電力の計算に使用されるパスロス推定値を決定することと含み、
前記第１の下り参照信号リソースグループが少なくとも１つの下り参照信号リソースを含む
ことを特徴とする電力制御のための方法。
【請求項２】
前記端末デバイスが第１の帯域幅部分に対応する第１の下り参照信号リソースグループを決定することは、
前記端末デバイスが帯域幅部分と下り参照信号リソースグループとの対応関係に基づいて、前記第１の帯域幅部分に対応する前記第１の下り参照信号リソースグループを決定することを含む
ことを特徴とする請求項１に記載の電力制御のための方法。
【請求項３】
前記対応関係がＭ個の下り参照信号リソースグループとＹ個の上り帯域幅部分との対応関係を含み、ＭとＹが１よりも大きい正の整数である
ことを特徴とする請求項２に記載の電力制御のための方法。
【請求項４】
前記方法は、さらに、
前記端末デバイスがネットワークデバイスにより送信された第１の情報を受信することを含み、前記第１の情報が前記第１の帯域幅部分を活性化するように指示し、
前記端末デバイスが帯域幅部分と下り参照信号リソースグループとの対応関係に基づいて、前記第１の帯域幅部分に対応する前記第１の下り参照信号リソースグループを決定することは、
前記端末デバイスが前記対応関係及び前記第１の帯域幅部分に基づいて、前記第１の帯域幅部分に対応する前記第１の下り参照信号リソースグループを決定することを含む
ことを特徴とする請求項２又は３項に記載の電力制御のための方法。
【請求項５】
前記第１の情報は、上位層シグナリング、メディアアクセス制御ＭＡＣ制御要素ＣＥシグナリング又は下り制御情報ＤＣＩに搬送される
ことを特徴とする請求項４に記載の電力制御のための方法。
【請求項６】
前記方法は、さらに、
前記端末デバイスがネットワークデバイスにより送信された第２の情報を受信することを含み、前記第２の情報が前記対応関係を示す
ことを特徴とする請求項２〜５のいずれか１項に記載の電力制御のための方法。
【請求項７】
前記第２の情報は、上位層シグナリング、メディアアクセス制御ＭＡＣ制御要素ＣＥシグナリング又は下り制御情報ＤＣＩに搬送される
ことを特徴とする請求項６に記載の電力制御のための方法。
【請求項８】
前記下り参照信号リソースは、チャネル状態情報参照信号ＣＳＩ−ＲＳリソース及び／又は同期信号／物理ブロードキャストチャネルブロックを含む
ことを特徴とする請求項１〜７のいずれか１項に記載の電力制御のための方法。
【請求項９】
複数の帯域幅部分（ＢＷＰ）を含むシステムに応用され、第１の決定ユニットと、第２の決定ユニットとを備える端末デバイスであって、
前記第１の決定ユニットは、第１のＢＷＰに対応する第１の下り参照信号リソースグループを決定するように構成され、前記第１の下り参照信号リソースグループが少なくとも１つの下り参照信号リソースを含み、
前記第２の決定ユニットは、前記第１の下り参照信号リソースグループにおける少なくとも１つの下り参照信号リソースに対応する信号に基づいて、伝送される上りデータを送信する送信電力の計算に使用されるパスロス推定値を決定するように構成される
ことを特徴とする端末デバイス。
【請求項１０】
前記第１の決定ユニットは、
帯域幅部分と下り参照信号リソースグループとの対応関係に基づいて、前記第１の帯域幅部分に対応する前記第１の下り参照信号リソースグループを決定するように構成される
ことを特徴とする請求項９に記載の端末デバイス。
【請求項１１】
前記端末デバイスが第２の受信ユニットをさらに含み、
前記第２の受信ユニットは、ネットワークデバイスにより送信された第２の情報を受信するように構成され、前記第２の情報が前記対応関係を示す
ことを特徴とする請求項９又は１０に記載の端末デバイス。
【請求項１２】
前記第２の情報は、上位層シグナリング、メディアアクセス制御ＭＡＣ制御要素ＣＥシグナリング又は下り制御情報ＤＣＩに搬送される
ことを特徴とする請求項１１に記載の端末デバイス。
【請求項１３】
端末デバイスが第１の帯域幅部分に対応する第１の下り参照信号リソースグループを決定する前に、前記端末デバイスが第３の受信ユニットをさらに含み、
前記第３の受信ユニットは、ネットワークデバイスにより送信された第３の情報を受信するように構成され、前記第３の情報は、活性化される前記第１の帯域幅部分に対応する前記第１の下り参照信号リソースグループを示し、
前記第１の決定ユニットは、
前記第３の情報に基づいて、前記第１の帯域幅部分に対応する前記第１の下り参照信号リソースグループを決定するように構成される
ことを特徴とする請求項９に記載の端末デバイス。
【請求項１４】
前記第３の情報は、前記第１の帯域幅部分の活性化を指示するための上位層シグナリング、メディアアクセス制御ＭＡＣ制御要素ＣＥシグナリング又は下り制御情報ＤＣＩに搬送される
ことを特徴とする請求項１３に記載の端末デバイス。
【請求項１５】
前記下り参照信号リソースは、チャネル状態情報参照信号ＣＳＩ−ＲＳリソース及び／又は同期信号／物理ブロードキャストチャネルブロックを含む
ことを特徴とする請求項９〜１４のいずれか１項に記載の端末デバイス。
【手続補正３】
【補正対象書類名】図面
【補正対象項目名】全図
【補正方法】変更
【補正の内容】
【図１】
2021515438.tif 000010
【図２】
2021515438.tif 000011
【図３】
2021515438.tif 000012
【図４】
2021515438.tif 000013
【図５】
2021515438.tif 000014
【図６】
2021515438.tif 000015
【図７】
2021515438.tif 000016
【国際調査報告】
2021515438.tif 000017
2021515438.tif 000018
2021515438.tif 000019
2021515438.tif 000020